(57)【要約】      （修正有）【課題】回線交換フォールバック手順を提供する。【解決手段】ユーザ装置に対するメッセージが移動交換局８１４及びインターワーキングソリューション８１０を介して送信されるとき、移動交換局８１４及びインターワーキングソリューション８１０は、そのメッセージがメッセージの第一の集合に属しているのか、それともメッセージの第二の集合に属しているのかを決定し、メッセージの第一の集合に属している場合にはそのメッセージをフィルタリングもしくは廃棄し、メッセージの第二の集合に属している場合にはそのメッセージをトンネリングで送信する。メッセージの第一の集合はユーザ装置へのトンネリングがサポートされていない１ｘ固有メッセージであり、メッセージの第二の集合は回線交換フォールバック手順のためにユーザ装置へのトンネリングがサポートがされている１ｘ固有メッセージである。【選択図】図８
2014064300.tif 000002
【特許請求の範囲】
【請求項１】
メッセージがメッセージの第一の集合に属しているのかそれともメッセージの第二の集合に属しているのかを決定すること、
前記メッセージがメッセージの第一の集合に属している場合には、前記メッセージをフィルタリングすること、
前記メッセージがメッセージの第二の集合に属している場合には、前記メッセージを送信すること
を含む移動交換局（ＭＳＣ）の方法。
【請求項２】
メッセージの第一の集合が前記ＭＳＣに結合されている装置によってサポートされていないメッセージを含み、メッセージの第二の集合が前記装置によってサポートされているメッセージを含む、請求項１の方法。
【請求項３】
前記装置がインターワーキングソリューション（ＩＷＳ）であり、前記サポートされていないメッセージがユーザ装置にトンネリングするための、前記ＩＷＳによってサポートされていない１ｘ固有メッセージであり、前記サポートされているメッセージが回線交換フォールバック手順のために前記ユーザ装置にトンネリングするための、前記ＩＷＳによってサポートされている１ｘ固有メッセージである、請求項２の方法。
【請求項４】
どのメッセージが、フィルタリングされるべきであるのか、またはされるべきでないのかに関する情報を受信することをさらに含む請求項１の方法。
【請求項５】
前記情報が、結合されているインターワーキングソリューション（ＩＷＳ）から受信される請求項４の方法。
【請求項６】
メッセージがＡ１インターフェースで送信される請求項１の方法。
【請求項７】
装置からメッセージを受信すること、
前記メッセージがメッセージの第一の集合に属しているのか、それともメッセージの第二の集合に属しているのかを決定すること、
前記メッセージがメッセージの第一の集合に属している場合には、前記メッセージを廃棄すること
を含む、インターワーキングソリューション（ＩＷＳ）の方法。
【請求項８】
前記メッセージが移動交換局（ＭＳＣ）から受信される請求項７の方法。
【請求項９】
前記メッセージがメッセージの第二の集合に属している場合には、前記メッセージを処理することをさらに含む請求項７の方法。
【請求項１０】
メッセージの第一の集合が回線交換フォールバック手順のためにユーザ装置にトンネリングするためのサポートされていないメッセージを含み、メッセージの第二の集合が回線交換フォールバック手順のために前記ユーザ装置にトンネリングするためのサポートされているメッセージを含む、請求項７の方法。
【請求項１１】
前記メッセージがＡ１インターフェースで受け取られた１ｘ固有動作のためのメッセージである、請求項７の方法。
【請求項１２】
メッセージを装置に送信することであって、前記メッセージはメッセージの第一の集合またはメッセージの第二の集合の一方に属している、送信することと、
前記メッセージがメッセージの第二の集合に属していて、しかも前記送信したメッセージに関して応答が受信されていない場合には第二のメッセージを送信することと、
前記メッセージがメッセージの第一の集合に属していて、しかも前記送信したメッセージに関して応答が受信されていない場合には第二のメッセージを送信することを控えることと
を含む移動交換局（ＭＳＣ）の方法。
【請求項１３】
前記メッセージがユーザ装置にトンネリングするためのものである、請求項１２の方法。
【請求項１４】
前記装置がインターワーキングソリューション（ＩＷＳ）である、請求項１２の方法。
【請求項１５】
前記メッセージがＡ１インターフェースによりサポートされている１ｘ固有動作のための任意のメッセージである、請求項１２の方法。
【請求項１６】
移動交換局（ＭＳＣ）から任意のメッセージを受信することと、
回線交換フォールバック手順のためにユーザ装置にトンネリングするための前記メッセージを処理することと
を含むインターワーキングソリューション（ＩＷＳ）の方法。
【請求項１７】
前記メッセージがＡ１インターフェースでサポートされている１ｘ固有動作のための任意のメッセージである、請求項１６の方法。
【請求項１８】
回線交換フォールバック手順に関してインターワーキングソリューション（ＩＷＳ）にメッセージを送信することを決定することと、
インターフェースで前記メッセージを送信することであって、前記インターフェースがＡ１インターフェースとは異なっている、送信することと
を含む移動交換局（ＭＳＣ）の方法。
【請求項１９】
前記メッセージがユーザ装置にトンネリグするための１ｘ固有メッセージである、請求項１８の方法。
【請求項２０】
前記インターフェースが回線交換フォールバック手順のためのトンネリングしたメッセージだけをサポートしている請求項１８の方法。
【請求項２１】
メッセージがメッセージの第一の集合に属しているのか、それともメッセージの第二の集合に属しているのかを決定するための手段と、
前記メッセージがメッセージの第一の集合に属している場合に前記メッセージをフィルタリングするための手段と、
前記メッセージがメッセージの第二の集合に属している場合に前記メッセージを送信するための手段と
を含む移動交換局（ＭＳＣ）。
【請求項２２】
前記メッセージの第一の集合が、前記のＭＳＣに結合されている装置によりサポートされていないメッセージを含んでいて、前記メッセージの第二の集合が前記装置によりサポートされているメッセージを含んでいる請求項２１のＭＳＣ。
【請求項２３】
前記装置がインターワーキングソリューション（ＩＷＳ）であり、前記サポートされていないメッセージがユーザ装置にトンネリングするための、ＩＷＳによりサポートされていない１ｘ固有メッセージであり、前記サポートされているメッセージが回線交換フォールバック手順のために前記ユーザ装置にトンネリングするための、ＩＷＳによりサポートされている１ｘ固有メッセージである、請求項２２のＭＳＣ。
【請求項２４】
どのメッセージがフィルタリングされるべきであるのか、またはされるべきでないのかに関する情報を受信する手段をさらに含む、請求項２１のＭＳＣ。
【請求項２５】
前記情報が、結合されているインターワーキングソリューション（ＩＷＳ）から受信される請求項２４のＭＳＣ。
【請求項２６】
前記メッセージがＡ１インターフェースで送信される請求項２１のＭＳＣ。
【請求項２７】
装置からメッセージを受信するための手段と、
前記メッセージがメッセージの第一の集合に属しているのか、それともメッセージの第二の集合に属しているのかを決定するための手段と、
前記メッセージがメッセージの第一の集合に属している場合に前記メッセージを廃棄するための手段と
を含むインターワーキングソリューション（ＩＷＳ）。
【請求項２８】
前記メッセージが移動交換局（ＭＳＣ）から受信される請求項２７のＩＷＳ。
【請求項２９】
前記メッセージがメッセージの第二の集合に属している場合に前記メッセージを処理するための手段をさらに含む請求項２７のＩＷＳ。
【請求項３０】
メッセージの第一の集合が、回線交換フォールバック手順のためにユーザ装置にトンネリングするための、サポートされていないメッセージを含んでいて、メッセージの第二の集合が回線交換フォールバック手順のために前記ユーザ装置にトンネリングするための、サポートされているメッセージを含んでいる請求項２７のＩＷＳ。
【請求項３１】
前記メッセージが、Ａ１インターフェースで受信される１ｘ固有動作のためのメッセージである、請求項２７のＩＷＳ。
【請求項３２】
メッセージを装置に送信するための手段と、前記メッセージがメッセージの第一の集合かメッセージの第二の集合の一方に属していることと、
前記メッセージがメッセージの第二の集合に属していて、しかも前記送信したメッセージに関して応答が受信されていない場合に第二のメッセージを送信するための手段と、
前記メッセージがメッセージの第一の集合に属していて、しかも前記送信したメッセージに関して応答が受信されていない場合に第二のメッセージを送信することを控えるための手段と
を含む移動交換局（ＭＳＣ）
【請求項３３】
前記メッセージがユーザ装置にトンネリングするためのものである、請求項３２のＭＳＣ。
【請求項３４】
前記装置がインターワーキングソリューション（ＩＷＳ）である、請求項３２のＭＳＣ。
【請求項３５】
前記メッセージがＡ１インターフェースによりサポートされている１ｘ固有動作のためのメッセージである、請求項３２のＭＳＣ。
【請求項３６】
移動交換局（ＭＳＣ）から任意のメッセージを受信するための手段と
回線交換フォールバック手順のためにユーザ装置にトンネリングするための前記メッセージを処理するための手段と
を含むインターワーキングソリューション（ＩＷＳ）。
【請求項３７】
前記メッセージがＡ１インターフェースでサポートされている１ｘ固有動作のための任意のメッセージである、請求項３６のＩＷＳ。
【請求項３８】
回線交換フォールバック手順に関してメッセージをインターワーキングソリューション（ＩＷＳ）に送信することを決定するための手段と
インターフェースで前記メッセージを送信するための手段と、前記インターフェースがＡ１インターフェースとは異なることと
を含む移動交換局（ＭＳＣ）。
【請求項３９】
前記メッセージがユーザ装置にトンネリングするための１ｘ固有メッセージである、請求項３８のＭＳＣ。
【請求項４０】
前記インターフェースが回線交換フォールバック手順のためにトンネリングしたメッセージだけをサポートする請求項３８のＭＳＣ。
【請求項４１】
メッセージがメッセージの第一の集合に属しているのか、それともメッセージの第二の集合に属しているのかを決定し、
前記メッセージがメッセージの第一の集合に属する場合には、前記メッセージをフィルタリングし、
前記メッセージがメッセージの第二の集合に属する場合には、前記メッセージを送信する
ためのコードを含むコンピュータ読み取り可能媒体
を含む、移動交換局（ＭＳＣ）のコンピュータプログラム製品。
【請求項４２】
前記メッセージの第一の集合が前記ＭＳＣに結合されている装置によってサポートされていないメッセージを含み、前記メッセージの第二の集合が前記装置によってサポートされているメッセージを含む、請求項４１のコンピュータプログラム製品。
【請求項４３】
前記装置がインターワーキングソリューション（ＩＷＳ）であり、前記サポートされていないメッセージが、ユーザ装置にトンネリングするための、ＩＷＳによりサポートされていない１ｘ固有メッセージであり、前記サポートされているメッセージが、回線交換フォールバック手順のために前記ユーザ装置にトンネリングするための、ＩＷＳによりサポートされている１ｘ固有メッセージである、請求項４２のコンピュータプログラム製品。
【請求項４４】
前記コンピュータ読み取り可能媒体はどのメッセージがフィルタリングされるべきであるのか、またはされるべきでないのかに関する情報を受信するためのコードをさらに含む請求項４１のコンピュータプログラム製品。
【請求項４５】
前記情報が、結合されているインターワーキングソリューション（ＩＷＳ）から受信される請求項４４のコンピュータプログラム製品。
【請求項４６】
前記メッセージがＡ１インターフェースで送信される請求項４１のコンピュータプログラム製品。
【請求項４７】
メッセージを装置から受信し、
前記メッセージがメッセージの第一の集合に属しているのかそれともメッセージの第二の集合に属しているのかを決定し、
前記メッセージがメッセージの第一の集合に属する場合に前記メッセージを廃棄する
ためのコードを含むコンピュータ読み取り可能媒体
を含む、インターワーキングソリューション（ＩＷＳ）のコンピュータプログラム製品。
【請求項４８】
前記メッセージが移動交換局（ＭＳＣ）から受信される請求項４７のコンピュータプログラム製品。
【請求項４９】
前記メッセージがメッセージの第二の集合に属している場合に前記メッセージを処理するためのコードをコンピュータ読み取り可能媒体がさらに含む請求項４７のコンピュータプログラム製品。
【請求項５０】
メッセージの第一の集合が、回線交換フォールバック手順のためにユーザ装置にトンネリングするためのサポートされていないメッセージを含み、メッセージの第二の集合が、回線交換フォールバック手順のために前記ユーザ装置にトンネリングするためのサポートされているメッセージを含む、請求項４７のコンピュータプログラム製品。
【請求項５１】
前記メッセージが、Ａ１インターフェースで受信される１ｘ固有動作のためのメッセージである、請求項４７のコンピュータプログラム製品。
【請求項５２】
メッセージを装置に送信することであって、但し前記メッセージがメッセージの第一の集合またはメッセージの第二の集合の一方に属している、送信することと、
前記メッセージがメッセージの第二の集合に属していて、しかも前記送信したメッセージに関して応答が受信されていない場合に第二のメッセージを送信することと、
前記メッセージがメッセージの第一の集合に属していて、しかも前記送信したメッセージに関して応答が受信されていない場合に第二のメッセージを送信することを控えること
のためのコードを含むコンピュータ読み取り可能媒体
を含む、移動交換局（ＭＳＣ）のコンピュータプログラム製品。
【請求項５３】
前記メッセージがユーザ装置にトンネリングするためのものである、請求項５２のコンピュータプログラム製品。
【請求項５４】
前記装置がインターワーキングソリューション（ＩＷＳ）である、請求項５２のコンピュータプログラム製品。
【請求項５５】
前記メッセージが、Ａ１インターフェースによりサポートされている１ｘ固有動作のための任意のメッセージである、請求項５２のコンピュータプログラム製品。
【請求項５６】
移動交換局（ＭＳＣ）から任意のメッセージを受信し、
回線交換フォールバック手順のためにユーザ装置にトンネリングするための前記メッセージを処理する
ためのコードを含むコンピュータ読み取り可能媒体
を含む、インターワーキングソリューション（ＩＷＳ）のコンピュータプログラム製品。
【請求項５７】
前記メッセージが、Ａ１インターフェースでサポートされている１ｘ固有動作のための任意のメッセージである、請求項５６のコンピュータプログラム製品。
【請求項５８】
回線交換フォールバック手順に関してインターワーキングソリューション（ＩＷＳ）にメッセージを送信することを決定することと、
Ａ１インターフェースとは異なるインターフェースで前記メッセージを送信することと
のためのコードを含むコンピュータ読み取り可能媒体
を含む、移動交換局（ＭＳＣ）のコンピュータプログラム製品。
【請求項５９】
前記メッセージが、ユーザ装置にトンネリングするための１ｘ固有メッセージである、請求項５８のコンピュータプログラム製品。
【請求項６０】
前記インターフェースが、回線交換フォールバック手順のためにトンネリングしたメッセージだけをサポートする請求項５８のコンピュータプログラム製品。
【請求項６１】
メッセージがメッセージの第一の集合に属しているのかそれともメッセージの第二の集合に属しているのかを決定し、
前記メッセージがメッセージの第一の集合に属している場合には前記メッセージをフィルタリングし、
前記メッセージがメッセージの第二の集合に属している場合には前記メッセージを送信する
ように構成されている処理システム
を含む移動交換局（ＭＳＣ）。
【請求項６２】
メッセージの第一の集合が前記ＭＳＣに結合されている装置によりサポートされていないメッセージを含み、メッセージの第二の集合が前記装置によりサポートされているメッセージを含む、請求項６１のＭＳＣ。
【請求項６３】
前記装置がインターワーキングソリューション（ＩＷＳ）であり、前記サポートされていないメッセージがユーザ装置にトンネリングするための、ＩＷＳによりサポートされていない１ｘ固有メッセージであり、前記サポートされているメッセージが回線交換フォールバック手順のために前記ユーザ装置にトンネリングするための、ＩＷＳによりサポートされている１ｘ固有メッセージである、請求項６２のＭＳＣ。
【請求項６４】
どのメッセージがフィルタリングされるべきであるのか、またはされるべきでないのかに関する情報を受信するように前記処理システムがさらに構成されている請求項６１のＭＳＣ。
【請求項６５】
結合されているインターワーキングソリューション（ＩＷＳ）から前記情報が受信される請求項６４のＭＳＣ。
【請求項６６】
前記メッセージがＡ１インターフェースで送信される請求項６１のＭＳＣ。
【請求項６７】
装置からメッセージを受信し、
前記メッセージがメッセージの第一の集合に属しているのか、それともメッセージの第二の集合に属しているのかを決定し、
前記メッセージがメッセージの第一の集合に属している場合には前記メッセージを廃棄する
ように構成されている処理システム
を含むインターワーキングソリューション（ＩＷＳ）。
【請求項６８】
前記メッセージが移動交換局（ＭＳＣ）から受信される請求項６７のＩＷＳ。
【請求項６９】
前記処理システムは、前記メッセージがメッセージの第二の集合に属している場合には前記メッセージを処理するようにさらに構成されている請求項６７のＩＷＳ。
【請求項７０】
前記メッセージの第一の集合が回線交換フォールバック手順のためにユーザ装置にトンネリングするためのサポートされていないメッセージを含み、前記メッセージの第二の集合が回線交換フォールバック手順のために前記ユーザ装置にトンネリングするためのサポートされているメッセージを含む請求項６７のＩＷＳ。
【請求項７１】
前記メッセージが、Ａ１インターフェースで受け取られた１ｘ固有動作のためのメッセージである、請求項６７のＩＷＳ。
【請求項７２】
装置にメッセージを送信し、前記メッセージがメッセージの第一の集合またはメッセージの第二の集合の一方に属していて、
前記メッセージがメッセージの第二の集合に属していて、しかも前記送信したメッセージに関して応答が受信されていない場合には第二のメッセージを送信し、
前記メッセージがメッセージの第一の集合に属していて、しかも前記送信したメッセージに関して応答が受信されていない場合には第二のメッセージを送信することを控える
ように構成されている処理システムを含む
移動交換局（ＭＳＣ）。
【請求項７３】
前記メッセージがユーザ装置にトンネリングするためのものである、請求項７２のＭＳＣ。
【請求項７４】
前記装置がインターワーキングソリューション（ＩＷＳ）である、請求項７２のＭＳＣ。
【請求項７５】
前記メッセージが、Ａ１インターフェースによりサポートされている１ｘ固有動作のための任意のメッセージである、請求項７２のＭＳＣ。
【請求項７６】
移動交換局（ＭＳＣ）から任意のメッセージを受信し、
回線交換フォールバック手順のためにユーザ装置にトンネリングするための前記メッセージを処理する
ように構成されている処理システム
を含むインターワーキングソリューション（ＩＷＳ）。
【請求項７７】
前記メッセージが、Ａ１インターフェースでサポートされている１ｘ固有動作のための任意のメッセージである、請求項７６のＩＷＳ。
【請求項７８】
回線交換フォールバック手順に関してインターワーキングソリューション（ＩＷＳ）にメッセージを送信することを決定し、
あるインターフェースで前記メッセージを送信する、但し前記インターフェースがＡ１インターフェースとは異なっている、
ように構成されている処理システム
を含む移動交換局（ＭＳＣ）。
【請求項７９】
前記メッセージがユーザ装置にトンネリングするための１ｘ固有メッセージである、請求項７８のＭＳＣ。
【請求項８０】
前記インターフェースが回線交換フォールバック手順のためのトンネリングしたメッセージだけをサポートしている請求項７８のＭＳＣ。
【発明の詳細な説明】
【技術分野】
【０００１】
［関連出願への相互参照］
本願は、２００９年８月１８日に出願した「高信頼相互無線アクセステクノロジーコアネットワークトンネル（Reliable Inter-Radio Access Technology Core Network Tunnel）」と言う名称の米国仮出願通し番号６１／２３４，９５１の利益を主張する。この米国仮出願は、この言及により全体的にここに明確に含まれる。
【０００２】
本開示は、一般に通信システムに関し、特に、高信頼相互無線アクセステクノロジーコアネットワークトンネルに関する。
【背景技術】
【０００３】
無線通信システム(Wireless communication systems)は、電話通信、ビデオ、データ、メッセージング、同報通信（broadcasts）などの様々な電気通信サービス（telecommunication services）を提供するために広く展開されている。典型的な無線通信システムは、利用可能なリソース（例えば、帯域幅、送信パワー）を共有することによって多数のユーザとの通信をサポートすることのできる多元接続技術（multiple-access technologies）を採用することができる。このような多元接続技術の例には、符号分割多元接続（ＣＤＭＡ：code division multiple access）システム、時分割多元接続（ＴＤＭＡ：time division multiple access）システム、周波数多重分割（ＦＤＭＡ：frequency division multiple access）システム、直交周波数分割多元接続（ＯＦＤＭＡ：orthogonal frequency division multiple access）システム、シングルキャリア周波数分割多元接続（ＳＣ−ＦＤＭＡ：single-carrier frequency divisional multiple access）システム、時間分割同期符号分割多元接続（ＴＤ−ＳＣＤＭＡ：time division synchronous code division multiple access）システムが含まれる。
【０００４】
このような多元接続技術は、地方自治体レベルや国家レベルや広域レベルや地球規模のレベルでの通信を異なる無線装置間で行うことができるようにする共通プロトコル（a common protocol）を提供するための様々な電気通信規格（telecommunication standards）として採用されている。台頭しつつある電気通信規格の例として長期的高度化システム（ＬＴＥ：Long Term Evolution）がある。ＬＴＥは、第３世代パートナーシッププロジェクト（３ＧＰＰ：Third Generation Partnership Project）により普及が図られている万国移動無線通信システム（ＵＭＴＳ：Universal Mobile Telecommunications System）に対する一式の拡張（a set of enhancements）である。ダウンリンク（ＤＬ：downlink）にＯＦＤＭＡ、アップリンク（ＵＬ：uplink）にＳＣ−ＦＤＭＡ、多入力多出力（ＭＩＭＯ：multiple-input multiple-output）アンテナ技術を用いて他の公開されている規格とのより良い統一化、スペクトル効率の改善、低コスト、サービスの改善、新しいスペクトラムの利用によりモバイルブロードバンドインターネットアクセス（mobile broadband Internet access）をより一層サポートすることが企図されている。しかし、モバイルブロードバンドアクセス（mobile broadband access）の要求が増大し続けているのでＬＴＥ技術にはさらなる改善の必要性がある。なるべくなら、このような技術を採用している電気通信規格や他の多元接続技術にこのような改善が適用可能であることが期待されている。
【発明の概要】
【０００５】
本開示の態様では、方法、コンピュータプログラム製品、移動交換局（a mobile switching center）が提供され、メッセージがメッセージの第一の集合（a first set of messages）に属しているのかそれともメッセージの第二の集合（a second set of messages）に属しているのかが決定されて、そのメッセージがメッセージの第一の集合に属している場合にはそのメッセージはフィルタリングされ（filtered）、そのメッセージがメッセージの第二の集合に属している場合にはそのメッセージは送信される。
【０００６】
本開示の態様では、方法、コンピュータプログラム製品、インターワーキングソリューション（an interworking solution）が提供され、メッセージが装置から受け取られ、そのメッセージがメッセージの第一の集合に属しているのかそれともメッセージの第二の集合に属しているのかが決定されて、そのメッセージがメッセージの第一の集合に属している場合にはそのメッセージが廃棄される（discarded）。
【０００７】
本開示の態様では、方法、コンピュータプログラム製品、移動交換局が提供され、メッセージが装置に送信される。そのメッセージは、メッセージの第一の集合かメッセージの第二の集合の一方に属している。さらに、そのメッセージがメッセージの第二の集合に属していて、しかもその送られたメッセージに関して応答（response）が受け取られていない場合には第二のメッセージが送信される。さらに、そのメッセージがメッセージの第一の集合に属していて、しかもその送られたメッセージに関して応答が受け取られていない場合には、方法、コンピュータプログラム製品、および移動交換局は第二のメッセージを送信することを控える。
【０００８】
本開示の態様では、方法、コンピュータプログラム製品、インターワーキングソリューションが提供され、任意のメッセージがある移動交換局から受け取られ、回線交換フォールバック手順（a circuit switched fallback procedure）のためにユーザ装置にトンネリング（tunneling）することを目指してそのメッセージが処理される。
【０００９】
本開示の態様では、方法、コンピュータプログラム製品、移動交換局が提供され、回線交換フォールバック手順に関してインターワーキングソリューションにメッセージを送信することが決定される。また、Ａ１インターフェース（A1 interface）とは異なるインターフェースでそのメッセージが送信される。
【図面の簡単な説明】
【００１０】
【図１】図１は、処理システムを採用している装置のためのハードウェアを実現した例を示す図である。
【図２】図２は、ネットワークアーキテクチャ（a network architecture）の例を示す図である。
【図３】図３は、アクセスネットワーク（an access network）の例を示す図である。
【図４】図４は、アクセスネットワークに用いられるフレーム構造（a frame structure）の例を示す図である。
【図５】図５は、ＬＴＥにおけるＵＬ用の典型的なフォーマット（an exemplary format）を示す図である。
【図６】図６は、ユーザおよび制御のプレーン（the user and control plane）用の無線プロトコルアーキテクチャ（a radio protocol architecture）の例を示す図である。
【図７】図７は、アクセスネットワークにおけるユーザ装置と進化したノードＢ（an evolved Node B）の例を示す図である。
【図８】図８は、１ｘ無線伝送技術回線交換（1x Radio Transmission Technology circuit switched）への回線交換フォールバック（circuit switched fallback）用の基準アーキテクチャ（a reference architecture）である。
【図９】図９は、進化した１ｘ回線交換フォールバック動作用のメッセージ（messages for enhanced 1x circuit switched fallback operation）および１ｘ固有動作用のメッセージ（messages for 1x native operation）の集合を示す図である。
【図１０】図１０は、１ｘ無線伝送技術回線交換への回線交換フォールバック用の典型的なアーキテクチャである。
【図１１】図１１は、無線通信（wireless communication）の第一の方法のフローチャートである。
【図１２】図１２は、第一の典型的な装置の機能を示す概念的なブロック図である。
【図１３】図１３は、無線通信の第二の方法のフローチャートである。
【図１４】図１４は、第二の典型的な装置の機能を示す概念的なブロック図である。
【図１５】図１５は、無線通信の第三の方法のフローチャートである。
【図１６】図１６は、第三の典型的な装置の機能を示す概念的なブロック図である。
【図１７】図１７は、無線通信の第四の方法のフローチャートである。
【図１８】図１８は、第四の典型的な装置の機能を示す概念的なブロック図である。
【図１９】図１９は、無線通信の第五の方法のフローチャートである。
【図２０】図２０は、第五の典型的な装置の機能を示す概念的なブロック図である。
【発明を実施するための形態】
【００１１】
添付図面に関連して以下に示す詳細な説明は様々な構成の描写を意図しているのであって、ここに開陳する諸概念の一つ一つについてそれぞれの概念を実施することのできる唯一の構成を描写することなど意図していない。詳細な説明には、様々な概念の完全な理解に資するために特定の細目が含まれている。しかし、このような特定の細目がなくてもこれらの概念を実施することができることは当業者には明らかである。場合によっては、前記の諸概念が曖昧になることを避けるために周知の構造や構成要素がブロック図の形式で示されている。
【００１２】
通信システムの幾つかの側面が様々な装置や方法との関連でこれから提示される。これらの装置や方法は、以下の詳細な説明に詳しく述べられているだけでなく、様々なブロック、モジュール、構成要素、回路、工程、処理過程、アルゴリズム、その他（一括して「諸要素（elements）」と言う）により添付図面に図示されている。これらの諸要素は、電子的なハードウェア、コンピュータソフトウェア、両者の任意な組み合わせにより実現することができる。これらの諸要素をハードウェアとして実現するのかそれともソフトウェアとして実現するのかはシステム全体に課される特定の用途や設計に関する制約に依存する。
【００１３】
例として、ある要素、またはある要素の任意の部分、または諸要素の任意の組み合わせを一台以上のプロセッサを備えた「処理システム」で実現することができる。プロセッサの例には、マイクロプロセッサ、マイクロコントローラ、デジタル信号プロセッサ（ＤＳＰｓ：digital signal processors）、現場でプログラム可能なゲートアレイ（ＦＰＧＡｓ：field programmable gate arrays）、プログラム可能な論理装置（ＰＬＤｓ：programmable logic devices）、状態機械（state machines）、ゲート論理（gated logic）、個別のハードウェア回路（discrete hardware circuits）、この開示全体に亘って記載されている様々な機能を実行するように構成されているその他の適切なハードウェアが含まれる。処理システムの一台以上のプロセッサはソフトウェアを実行することができる。ソフトウェアは、ソフトウェア、ファームウェア、ミドルウェア、マイクロコード、ハードウェア記述言語（hardware description language）、その他として記載されていようとなかろうと、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行形式のファイル（executables）、実行のスレッド（threads of execution）、処理手順（procedures）、機能（functions）、その他を広く意味すると解釈されなければならない。ソフトウェアは、コンピュータ読み取り可能媒体（a computer-readable medium）の上に存在している場合もある。コンピュータ読み取り可能媒体は、一時的でないコンピュータ読み取り可能媒体（a non-transitory computer-readable medium）であっても構わない。一時的でないコンピュータ読み取り可能媒体には、例として、磁気記憶装置（例えば、ハードディスク、フロッピー（登録商標）ディスク、磁気ストリップ（magnetic strip））、光ディスク（例えば、コンパクトディスク（ＣＤ）、デジタル多用途ディスク（ＤＶＤ））、スマートカード（a smart card）、フラッシュメモリ装置（例えば、カード、スティック（stick）、キードライブ（key drive））、ランダムアクセスメモリ（ＲＡＭ）、リードオンリーメモリ（ＲＯＭ）、プログラム可能なＲＯＭ（ＰＲＯＭ）、消去可能なＰＲＯＭ（ＥＰＲＯＭ）、電気的な消去が可能なＰＲＯＭ（ＥＥＰＲＯＭ）、レジスター、取り外し可能なディスク、コンピュータによるアクセスおよび読み取りが可能な命令やソフトウェアを格納するためのその他の適切な媒体が含まれる。コンピュータ読み取り可能媒体には、例として、搬送波（a carrier wave）、伝送線（a transmission line）、コンピュータによるアクセスおよび読み取りが可能な命令やソフトウェアを伝送するためのその他の適切な媒体も含まれる。コンピュータ読み取り可能媒体は処理システムの中や処理システムの外部に常駐したり、処理システムを含む多数の構成要素に分散されたりすることができる。コンピュータ読み取り可能媒体はコンピュータプログラム製品に取り入れられていても良い。例として、コンピュータプログラム製品には包装されているコンピュータ読み取り可能媒体（a computer-readable medium in packaging materials）が含まれることもある。この開示全体に亘って記述し提示した機能をどのように��現するのが最良であるのかはシステム全体に課されている特定の用途や全体的な設計に関する制約に応じて決まることは当業者であれば当然認識している。
【００１４】
図１は、処理システム１１４を採用している装置１００用のハードウェアを実現した例を示す概念図である。この例では、バス１０２で一般的に示されるバスアーキテクチャで処理システム１１４を実現することができる。バス１０２には任意の数の相互接続バスやブリッジ（any number of interconnecting busses and bridges）が含まれるが、それらの数は処理システム１１４の特定の用途や全体的な設計による制約に依存する。バス１０２は、プロセッサ１０４により一般的に示されている一台以上のプロセッサとコンピュータ読み取り可能媒体１０６により一般的に示されているコンピュータ読み取り可能媒体とを含む様々な回路を相互に接続する。バス１０２は、タイミング源、周辺装置、電圧調整器、電力管理回路などの様々な他の回路をも接続するが、どの回路もこの技術分野では周知であるからこれ以上説明しない。バスインターフェース１０８はバス１０２とトランシーバ１１０との間のインターフェースを提供する。トランシーバ１１０は、伝送媒体による様々な他の装置との通信のための手段を提供する。プロセッサ１０４は、コンピュータ読み取り可能媒体１０６に格納されているソフトウェアの実行を含む一般的な処理やバス１０２の管理を担当している。ソフトウェアは、プロセッサ１０４により実行されると、任意の特定の装置のための以下に述べる様々な機能を処理システム１１４に実行させる。コンピュータ読み取り可能媒体１０６はソフトウェアを実行する際にプロセッサ１０４が処理するデータの格納にも使用されることがある。
【００１５】
図２は、様々な装置１００（図１を参照すること）を採用しているＬＴＥネットワークアーキテクチャ２００を示す図である。ＬＴＥネットワークアーキテクチャ２００を進化したパケットシステム（ＥＰＳ：Evolved Packet System）２００と言うこともある。ＥＰＳ２００には、一台以上のユーザ装置（ＵＥ:user equipment）２０２、進化したＵＭＴＳ地上無線アクセスネットワーク（Ｅ−ＵＴＲＡＮ:an Evolved UMTS Terrestrial Radio Access Network）２０４、進化したパケットコア（ＥＰＣ: Evolved Packet Core）２１０、ホームサブスクライバーサーバー（ＨＳＳ：a Home Subscriber Server）２２０、オペレータのＩＰサービス（Operator's IP Services）２２２が含まれている。ＥＰＳは、他のアクセスネットワークと相互接続をすることができるが簡略化のためにそれらの実体やインターフェースは示されていない。図示されているようにＥＰＳはパケット交換サービス（packet-switched services）を提供するが、当業者であれば容易に分かるように、この開示全体に亘って提示する様々な概念は回線交換サービスを（circuit-switched services）提供するネットワークに拡張することができる。
【００１６】
Ｅ−ＵＴＲＡＮには、進化したノードＢ（ｅＮＢ:evolved Node B）２０６や他のｅＮＢｓ（他のｅＮｏｄｅＢｓ）２０８が含まれる。ｅＮＢ２０６は、ユーザや制御のプレーンプロトコルターミネーション（user and control plane protocol terminations）をＵＥ２０２に提供する。ｅＮＢ２０６は、Ｘ２インターフェース（an X2 interface）（すなわち、バックホール（backhaul））により他のｅＮＢｓ２０８に接続されている可能性がある。ｅＮＢ２０６は、当業者により基地局、トランシーバ基地局（a base transceiver station）、無線基地局、無線トランシーバ（a radio transceiver）、トランシーバ機能（a transceiver function）、基本サービスセット（ＢＳＳ：a basic service set）、拡張サービスセット（ＥＳＳ：an extended service set）と呼ばれることもあれば、その他の適切な用語で呼ばれることもある。ｅＮＢ２０６は、ＵＥ２０２のためにＥＰＣ２１０にアクセスポイント（an access point）を提供する。ＵＥｓ２０２の例には、小型携帯移動電話機（a cellular phone）、スマートフォン（a smart phone）、セッション開始プロトコル（ＳＩＰ：a session initiation protocol）フォン、ラップトップ（a laptop）、個人用携帯型情報端末（ＰＤＡ：a personal digital assistant）、衛星ラジオ（a satellite radio）、全地球測位システム（ＧＰＳ：a global positioning system）、マルチメディア装置、ビデオ装置、デジタルオーディオプレーヤー（例えば、ＭＰ３プレーヤー）、カメラ、ゲームコンソール（a game console）、あらゆるその他の類似した機能を果たす装置を挙げることができる。ＵＥ２０２は、当業者により移動局、加入者設備、移動ユニット、加入者ユニット）、無線ユニット、遠隔ユニット（a remote unit）、移動装置、無線装置、無線通信装置、遠隔装置、移動加入者設備（a mobile subscriber station）、アクセスターミナル、移動ターミナル、無線ターミナル、遠隔ターミナル、ハンドセット、ユーザエージェント、移動クライアント（a mobile client）、クライアントと呼ばれることもあれば、その他の適切な用語で呼ばれることもある。
【００１７】
ｅＮＢ２０６は、Ｓ１インターフェースによりＥＰＣ２１０に接続されている。ＥＰＣ２１０には、移動管理エンティティ（ＭＭＥ：a Mobility Management Entity）２１２、他のＭＭＥｓ２１４、サービングゲートウェイ（a Serving Gateway）２１６、パケットデータネットワーク（ＰＤＮ： Packet Data Network）ゲートウェイ２１８が含まれている。ＭＭＥ２１２は、ＵＥ２０２とＥＰＣ２１０との間のシグナリング（signaling）を処理する制御ノードである。一般に、ＭＭＥ２１２はベアラと接続の管理（bearer and connection management）を提供する。全ユーザＩＰパケット（All user IP packets）はサービングゲートウェイ２１６を通って転送される。サービングゲートウェイ２１６自体はＰＤＮゲートウェイ２１８に接続されている。ＰＤＮゲートウェイ２１８は、ＵＥ  ＩＰアドレス割り当て（UE IP address allocation）も提供すれば、他の諸機能も提供する。ＰＤＮゲートウェイ２１８は、オペレータのＩＰサービス２２２に接続されている。オペレータのＩＰサービス２２２には、インターネット、イントラネット、ＩＰマルチメディアサブシステム（ＩＭＳ： IP Multimedia subsystem）、ＰＳストリーミングサービス（ＰＳＳ： PS Streaming Service）が含まれている。
【００１８】
図３は、ＬＴＥネットワークアーキテクチャにおけるアクセスネットワークの例を示す図である。この例では、アクセスネットワーク３００は幾つものセルラー領域（セル）３０２に分割されている。一個以上の低パワークラスのｅＮＢｓ３０８、３１２が一個以上のセル３０２と重複するセルラー領域３１０、３１４をそれぞれ有している場合がある。低パワークラスのｅＮＢｓ３０８、３１２はフェムトセル（femto cells）（例えば、ホームｅＮＢｓ（ＨｅＮＢｓ：home eNBs））であるかも知れないし、ピコセル（pico cells）やマイクロセル（micro cells）のいずれかであるかも知れない。より高いパワークラスまたはマクロｅＮＢ（A higher power class or macro eNB）３０４がセル３０２に割り当てられていてセル３０２に在圏している全てのＵＥｓ３０６にＥＰＣ２１０のアクセスポイントを提供するように構成されている。アクセスネットワーク３００のこの例では集中制御装置（a centralized controller）はないが別の構成では集中制御装置が用いられていても良い。ｅＮＢ３０４は、無線ベアラ制御（radio bearer control）、入圏管理（admission control）、移動性制御（mobility control）、スケジューリング（scheduling）、セキュリティー(security)、サービングゲートウェイ２１６（図２参照）への接続性（connectivity）を含む全ての無線関連機能（all radio related functions）を担当している。
【００１９】
アクセスネットワーク３００が採用している変調や多元接続の方式（The modulation and multiple access scheme）は展開している特定の電気通信規格に応じて変わり得る。ＬＴＥの用途では、周波数分割複信（ＦＤＤ：frequency division duplexing）と時分割複信（ＴＤＤ：time division duplexing）の両者をサポートするためにＯＦＤＭがＤＬに用いられていてＳＣ−ＦＤＭＡがＵＬに用いられている。ここに示す様々な概念がＬＴＥの用途に良く適していることは当業者であれば以下に示す詳細な説明により容易に理解できることである。しかし、別の変調や多元接続の技術を採用している別の電気通信規格にこれらの概念を容易に拡張することができる。一例として、エボルーションデータオプティマイズド（ＥＶ−ＤＯ：Evolution-Data Optimized）やウルトラモバイルブロードバンド（ＵＭＢ：Ultra Mobile Broadband）にこれらの概念を拡張することができる。ＥＶ−ＤＯやＵＭＢは、第３世代パートナーシッププロジェクト２（３ＧＰＰ２：the 3rd Generation Partnership Project 2）により、ブロードバンドインターネットアクセスを移動局に提供するためにＣＤＭＡを使用するＣＤＭＡ２０００系の規格の一部として公表されたエアインターフェース規格（air interface standards）である。これらの概念は、広帯域ＣＤＭＡ（Ｗ−ＣＤＭＡ：Wideband-CDMA）やＣＤＭＡのその他の変形、例えば、ＴＤ−ＳＣＤＭＡなどを採用している万国地上無線アクセス（ＵＴＲＡ：Universal Terrestrial Radio Access）、ＴＤＭＡを採用している移動体通信用グローバルシステム（ＧＳＭ（登録商標）：Global System for Mobile Communications）、進化したＵＴＲＡ（Ｅ−ＵＴＲＡ：Evolved UTRA）、ウルトラモバイルブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＯＦＤＭＡを採用しているフラッシュＯＦＤＭ（Ｆｌａｓｈ−ＯＦＤＭ）にも拡張することができる。ＵＴＲＡ、Ｅ−ＵＴＲＡ、ＵＭＴＳ、ＬＴＥ、ＧＳＭは、３ＧＰＰ組織からの文書類に記載されている。ＣＤＭＡ２０００およびＵＭＢは３ＧＰＰ２組織からの文書類に記載されている。採用されている実際の無線通信規格や多元接続技術はシステムに課される特定の用途や全体的な設計に関する制約に依存している。
【００２０】
ｅＮＢ３０４は、ＭＩＭＯ技術をサポートしている複数のアンテナ（multiple antennas）をおそらく有している。ＭＩＭＯ技術を使用することによりｅＮＢ３０４は空間ドメイン（spatial domain）を活用して空間多重化（spatial multiplexing）、ビームフォーミング（beamforming）、伝送ダイバーシチ（transmit diversity）をサポートすることができるようになる。
【００２１】
空間多重化は、データの異なるストリーム（different streams of data）を同じ周波数で同時に伝送するために使用することができる。データのストリームは、データ転送速度（data rate）を高めるために一台のＵＥ３０６に伝送することもできれば、総体的なシステム容量を高めるために複数台のＵＥｓ３０６に伝送することもできる。これは、各データストリームを空間的にプリコーディング（spatially precoding）してから空間的にプリコーディングされた各ストリームをダウンリンクの異なる伝送アンテナから伝送することにより達成される。空間的にプリコーディングされたデータストリームは異なる空間署名（different spatial signatures）を有しているＵＥ（ｓ）３０６に到達する。空間署名は、ＵＥ（ｓ）３０６の各々がそれぞれのＵＥ３０６に向けられている一本以上のデータストリームを回復（recover）することを可能にする。アップリンクでは、各ＵＥ３０６は空間的にプリコーディングされているデータストリームを伝送する。空間的にプリコーディングされているデータストリームは空間的にプリコーディングされているデータストリームのそれぞれのソースをｅＮＢ３０４が特定することを可能にする。
【００２２】
空間多重化は、チャネル条件が良い時に一般に用いられる。チャネル条件が余り好ましくない場合には、ビームフォーミングを用いて伝送エネルギーを一方向以上に集中させることがある。これは、多くのアンテナから伝送するためにデータを空間的にプリコーディングすることにより達成することができる。セルの縁をより良い有効範囲に収めるために単一ストリームビームフォーミング送信（a single stream beamforming transmission）を送信ダイバーシチと組み合わせて用いても良い。
【００２３】
次の詳細な説明ではダウンリンクでＯＦＤＭをサポートしているＭＩＭＯシステムとの関連でアクセスネットワークの様々な側面が記載される。ＯＦＤＭは、ＯＦＤＭシンボル（an OFDM symbol）内で多数のサブキャリアにデータを変調するスペクトル拡散技術（a spread-spectrum technique）である。サブキャリアは正確な周波数で互いに離隔している。この間隔は、受信機がサブキャリアからデータを回復することを可能にする「直交性（orthogonality）」を提供する。時間ドメイン（time domain）では、ＯＦＤＭシンボル干渉（inter-OFDM-symbol interference）を除去するために各ＯＦＤＭシンボルにガードインターバル（a guard interval）（例えば、サイクリックプレフィックス（cyclic prefix））を付加され得る。アップリンクは、高いピーク対平均電力比（ＰＡＲＲ：peak-to-average power ratio）を補償するためにＤＦＴ拡散ＯＦＤＭ信号（a DFT-spread OFDM signal）の形式のＳＣ−ＦＤＭＡを用いることができる。
【００２４】
ＤＬやＵＬの伝送をサポートするために様々なフレーム構造を用いることができる。図４を参照してＤＬフレーム構造の例を示す。但し、当業者であれば容易に理解することができるように、任意の特定の用途のためのフレーム構造は任意の数の要因により異なることがあり得る。この例では、あるフレーム（１０ｍｓ）が１０個の等しいサイズのサブフレームに分割されている。各サブフレームは２個の連続するスロットを含んでいる。
【００２５】
１つのリソースグリッド（A resource grid）は二つのタイムスロット（time slots）を表すために使用されることができる。各タイムスロットは１つのリソースブロック（a resource block）を含んでいる。前記リソースグリッドは複数のリソースエレメント（multiple resource elements）に分割されている。ＬＴＥにおいてリソースブロックは、周波数ドメイン（frequency domain）に１２個の連続したサブキャリアと各ＯＦＤＭシンボル内の正規のサイクリックプレフィックスのために時間ドメインに７個の連続したＯＦＤＭシンボルとを、つまり８４個のリソースエレメントを包含している。リソースエレメント４０４の幾つかは、Ｒ４０２、４０４として示されているように、ＤＬリファレンスシグナル（ＤＬ−ＲＳ：DL reference signal）を有している。ＤＬ−ＲＳには、セル固有ＲＳ（ＣＲＳ：Cell-specific RS）（共通ＲＳ（common RS）とも時々呼ばれる）４０２やＵＥ固有ＲＳ（ＵＥ−ＲＳ：UE-specific RS）４０４が含まれている。ＵＥ−ＲＳ４０４はリソースブロックにのみ伝送される。ここで、対応する物理ダウンリンク共有チャネル（ＰＤＳＣＨ：physical downlink shared channel）がマッピングされる。各リソースエレメントにより搬送されるビットの数は変調の方式に依存している。したがって、ＵＥが受信するリソースブロックが多くて変調の方式が高等であるほどＵＥにとってデータ転送速度が高い。
【００２６】
図５を参照してＵＬフレーム構造５００の例を次に示す。図５は、ＬＴＥにおけるＵＬの典型的なフォーマットの例を示している。ＵＬに利用可能なリソースブロックはこれをデータセクションと制御セクションとに区画することができる。制御セクションは、システム帯域幅の両端に形成されていても構わないし、設定可能なサイズ（configurable size）を有していても構わない。制御セクション内のリソースブロックは制御情報の送信用にＵＥｓに割り当てられることができる。データセクションは、制御セクションに含まれていない全てのリソースブロックを含むことができる。図５の設計では連続したサブキャリア（contiguous subcarriers）がデータセクションに含まれていることになり、データセクション内の連続したサブキャリアの全てを一台のＵＥに割り当てることができる。
【００２７】
制御情報をｅＮＢに送信するために制御セクションのリソースブロック５１０ａ、５１０ｂを一台のＵＥに割り当てることができる。データをｅＮＢに送信するためにデータセクションのリソースブロック５２０ａ、５２０ｂをそのＵＥに割り当てることもできる。ＵＥは、制御セクションにおいて割り当てられたリソースブロックに基づく物理アップリンク制御チャネル（ＰＵＣＣＨ：physical uplink control channel）で制御情報を送信することができる。ＵＥは、データセクション内の割り当てられているリソースブロックに基づく物理アップリンク共有チャネル（ＰＵＳＣＨ：physical uplink shared channel）で制御情報とデータの両者またはデータのみを送信することができる。ＵＬ送信はサブフレームの両スロットに亘ることもあれば、図５に示されているように周波数を横切ってホップする（hop across）こともある。
【００２８】
図５に示すように、物理ランダムアクセスチャネル（ＰＲＡＣＨ：physical random access channel）５３０で最初のシステムアクセスの実行とＵＬ同期の達成をするために一組のリソースブロックを用いることができる。ＰＲＡＣＨ５３０はランダムシーケンス（a random sequence）を搬送するがＵＬのデータやシグナリングを搬送することができない。各ランダムアクセスプリアンブル（random access preamble）は６個の連続したブロックに対応する帯域幅を専有する。ネットワークにより開始周波数（starting frequency）が指定される。すなわち、ランダムアクセスプリアンブルの送信は特定の時間および周波数のリソースに制限される。ＰＲＡＣＨに周波数ホッピング（frequency hopping）はない。ＰＲＡＣＨの試みは単一のサブフレーム（１ｍｓ）で搬送され、ＵＥはＰＲＡＣＨの試みをフレーム（１０ｍｓ）毎に一回だけしか行うことができない。
【００２９】
ＬＴＥにおけるＰＵＣＣＨ、ＰＵＳＨ、ＰＲＡＣＨが公に入手可能な「Evolved Universal Terrestrial Radio Access (E-UTRA); Physical Channels and Modulation」と言う表題の３ＧＰＰ  ＴＳ  ３６．２１１に記載されている。
【００３０】
無線プロトコルアーキテクチャは特定の用途に応じて様々な形態をとる。図６を参照してＬＴＥシステムの例を次に提示する。図６は、ユーザや制御のプレーン用無線プロトコルアーキテクチャの例を示す概念図である。
【００３１】
図６に戻る。ＵＥおよびｅＮＢ用の無線プロトコルアーキテクチャがレイヤ１、レイヤ２、レイヤ３の三層で示されている。レイヤ１は、最下層のレイヤであり様々な物理層信号処理機能を実行する。レイヤ１は、ここでは物理層６０６として言及される。レイヤ２（Ｌ２レイヤ）６０８は物理層６０６の上にあり、物理層６０６の上でＵＥとｅＮＢとの間のリンクを担当している。
【００３２】
ユーザプレーンでは、Ｌ２レイヤ６０８はメディアアクセス制御（ＭＡＣ：media access control）サブレイヤ６１０、無線リンク制御（ＲＬＣ：radio link control）サブレイヤ６１２、パケットデータコンバージェンスプロトコル（ＰＤＣＰ：packet data convergence protocol）６１４サブレイヤを含んでいて、ネットワーク側のｅＮＢで終端している。図示していないが、ネットワーク側のＰＤＮゲートウェイ２０８（図２参照）で終端しているネットワークレイヤ（例えば、ＩＰレイヤ）や接続の他端（例えば、遠位端のＵＥ、サーバー、その他）で終端するアプリケーションレイヤを含む幾つかの上位層をＬ２レイヤ６０８の上にＵＥが有していることもある。
【００３３】
ＰＤＣＰサブレイヤ６１４は、異なる無線ベアラと論理チャネルとの間で多重化を提供する。ＰＤＣＰサブレイヤ６１４は、無線伝送オーバーヘッドを減らすための上部レイヤデータパケットのヘッダの圧縮、データパケットの暗号化によるセキュリティー、複数のｅＮＢｓに跨るＵＥｓのハンドオーバのサポート（handover support for UEs between eNBs）を提供する。ＲＬＣサブレイヤ６１２は、上部レイヤデータパケットの分割と再組み立て（segmentation and reassembly）、失ったデータパケットの再送信、ハイブリッド自動再送要求（ＨＡＲＱ：hybrid automatic repeat request）による順不同の受信を補償するためのデータパケットの再順序付け（reordering）を提供する。ＭＡＣサブレイヤ６１０は論理チャネルやトランスポートチャネル（logical and transport channels）間の多重化を提供する。ＭＡＣサブレイヤ６１０は、一つのセルの中の様々な無線リソース（例えば、リソースブロック）を様々なＵＥｓに割り当てることも担当している。ＭＡＣサブレイヤ６１０はＨＡＲＱ動作を担当している。
【００３４】
制御プレーンでは、ＵＥやｅＮＢ用の無線プロトコルアーキテクチャは物理層６０６やＬ２レイヤ６０８と実質的に同じである。但し、制御プレーンにはヘッダ圧縮機能がない。制御プレーンにはレイヤ３の無線リソース制御（ＲＲＣ：radio resource control）サブレイヤ６１６も含まれる。ＲＲＣサブレイヤ６１６は無線リソース（すなわち、無線ベアラ）の取得やｅＮＢとＵＥとの間のＲＲＣシグナリングを用いた下層の構成を担当している。
【００３５】
図７は、アクセスネットワークでＵＥ７５０と通信をしているｅＮＢ７１０のブロック図である。ＤＬでは、コアネットワークからの上位層パケットがコントローラやプロセッサ７７５に提供される。コントローラやプロセッサ７７５は、図６を参照して先に説明したＬ２レイヤの機能を実行する。ＤＬでは、コントローラやプロセッサ７７５は、ヘッダ圧縮、暗号化、パケットの分割と再順序付け、論理チャネルやトランスポートチャネル間の多重化、様々な優先順位の高いメトリクス（various priority metrics）に基づくＵＥ７５０への無線リソースの割り当てを提供する。コントローラやプロセッサ７７５は、ＨＡＲＱ動作、失ったパケットの再送信、ＵＥ７５０へのシグナリングをも担当している。
【００３６】
ＴＸプロセッサ７１６はＬ１レイヤ（すなわち、物理層）のために様々な信号処理機能を実行する。信号処理機能には、ＵＥ７５０で前方誤り訂正（ＦＥＣ：forward error correction）を促進するコーディングやインターリーブ（coding and interleaving）、様々な変調方式（例えば、２相位相変調（ＢＰＳＫ：binary phase-shift keying）、４相位相変調（ＱＰＳＫ：quadrature phase-shift keying）、Ｍ相位相変調（Ｍ−ＰＳＫ：M-phase-shift keying）、Ｍ直交振幅変調（Ｍ−ＱＡＭ：M-quadrature amplitude modulation））に基づくシグナルコンステレーション（signal constellations）へのマッピングが含まれる。コード化され変調された記号はその後並列するストリームに分割される。個々のストリームは、ＯＦＤＭサブキャリアにマッピングされ、時間や周波数のドメインの両者または一方でリファレンスシグナル（例えば、パイロット（pilot））と共に多重化され、次に高速逆フーリエ変換（ＩＦＦＴ：Inverse Fast Fourier Transform）を用いて一緒に結合されて時間ドメインＯＦＤＭシンボルストリーム（a time domain OFDM symbol stream）を搬送する物理チャネルを生成する。このＯＦＤＭストリームは、空間的にプリコードされて複数の空間ストリーム（multiple spatial streams）を生成する。チャネル推定器７７４からのチャネル推定を空間的な処理だけでなくコーディングや変調の方式を決めるのに用いることができる。チャネル推定は、ＵＥ７５０により送信されるチャネル状態フィードバックやリファレンスシグナルの両者または一方から導き出すことができる。各空間ストリームは、異なる送信機７１８ＴＸを経由して異なるアンテナ７２０に供給される。各送信機７１８ＴＸは送信用の個々の空間ストリームでＲＦキャリアを変調する。
【００３７】
ＵＥ７５０では、各受信機７５４ＲＸがそれぞれのアンテナ７５２により信号を受信する。各受信機７５４ＲＸは、ＲＦキャリア上で変調されている情報を受信して受信機（ＲＸ）プロセッサ７５６に情報を供給する。
【００３８】
ＲＸプロセッサ７５６は、Ｌ１レイヤの様々な信号処理機能を実行する。ＲＸプロセッサ７５６は、情報に空間的処理を施してＵＥ７５０に向けられている任意の空間ストリームを回復する。多数の空間ストリームがＵＥ７５０向けである場合にはＲＸプロセッサ７５６によりそれらが相互に結合されて単一のＯＦＤＭシンボルストリームになる。次に、ＲＸプロセッサ７５６は高速フーリエ変換（ＦＦＴ：Fast Fourier Transform）を用いてＯＦＤＭシンボルストリームを時間ドメインから周波数ドメインに変換する。周波数ドメイン信号は、ＯＦＤＭ信号のサブキャリア毎に別個のＯＦＤＭシンボルストリームから成っている。各サブキャリアに載っている前記シンボルやリファレンスシグナルはｅＮＢ７１０により送信される最も有望なシグナルコンステレーションポイント（the most likely signal constellation points）を決定することにより回復されたり復調されたりする。このような軟判定（soft decisions）はチャネル推定器７５８により算出されたチャネル推定に基づいていることができる。軟判定は、その後、復号化されたりデインターリーブされたりして物理チャネルのｅＮＢ７１０により元々送信されたデータや制御の信号が回復される。データや制御の信号は次にコントローラやプロセッサ７５９に提供される。
【００３９】
コントローラやプロセッサ７５９は図６を参照して先に説明したＬ２レイヤを実行する。コントローラやプロセッサ７５９はＵＬではトランスポートチャネルや論理チャネルの間の逆多重化（demultiplexing）、パケットの再組み立て、復号化、ヘッダの復元、制御信号処理を提供してコアネットワークからの上位層パケットを回復する。上位層パケットは、Ｌ２レイヤよりも上の全プロトコルレイヤを表すデータシンク７６２に提供される。Ｌ３処理のために様々な制御信号がデータシンク７６２に提供されることができる。コントローラやプロセッサ７５９は、ＨＡＲＱ動作をサポートするために肯定応答（ＡＣＫ：acknowledgement）および否定応答（ＮＡＣＫ：negative acknowledgement）のプロトコルの両者または一方を用いた誤り検出をも担当している。
【００４０】
ＵＬでは、上位層パケットをコントローラやプロセッサ７５９に提供するためにデータソース７６７が用いられる。データソース７６７は、Ｌ２レイヤ（Ｌ２）より上の全プロトコルレイヤを表している。ｅＮＢ７１０により送信されたＤＬとの関連で述べた機能と同じようにコントローラやプロセッサ７５９はヘッダ圧縮、暗号化、パケットの分割と再順序付け、ｅＮＢ７１０による無線リソース割り当てに基づく論理チャネルとトランスポートチャネルの間の多重化を提供してユーザプレーンや制御プレーンのためにＬ２レイヤを実現する。コントローラやプロセッサ７５９は、ＨＡＲＱ動作、失われたパケットの再送信、ｅＮＢ７１０へのシグナリングをも担当している。
【００４１】
ｅＮＢ７１０により送信されるフィードバックやリファレンスシグナルからチャネル推定器７５８により導き出されるチャネル推定を適切な符号化や変調の方式の選択や空間的処理の促進にＴＸプロセッサ７６８は利用することができる。ＴＸプロセッサ７６８により生成される空間ストリームは別個の送信機７５４ＴＸを経由して異なるアンテナ７５２に提供される。各送信機７５４ＴＸは送信用のそれぞれの空間ストリームでＲＦキャリアを変調する。
【００４２】
ＵＥ７５０における受信機の機能に関して説明した方法に類似した方法でＵＬ送信がｅＮＢ７１０で処理される。各受信機７１８ＲＸは、それぞれのアンテナ７２０を通じて信号を受信する。個々の受信機７１８ＲＸは、ＲＦキャリア上で変調されていた情報を回復してＲＸプロセッサ７７０に情報を提供する。ＲＸプロセッサ７７０はＬ１レイヤを実現する。
【００４３】
コントローラやプロセッサ７５９は、図６を参照して先に説明したＬ２レイヤを実現する。ＵＬでは、コントローラやプロセッサ７５９はトランスポートチャネルと論理チャネルとの間の逆多重化、パケット再組み立て、復号化、ヘッダの復元、制御信号処理を提供してＵＥ７５０からの上位層パケットを回復する。コントローラやプロセッサ７７５からの上位層パケットをコアネットワークに提供しても良い。コントローラやプロセッサ７５９は、ＨＡＲＱ動作をサポートするためのＡＣＫおよびＮＡＣＫの両者または一方のプロトコルを用いた誤り検出をも担当している。
【００４４】
図８は、ＣＤＭＡ  １ｘ無線伝送技術（ＲＴＴ：Radio Transmission Technology）回線交換（ＣＳ：circuit switched）への回線交換（ＣＳ）フォールバック用参照アーキテクチャ８００である。図８に示したように、１ｘＣＳ回線交換フォールバック（１ｘＣＳＦＢ：1x circuit switched fallback）ＵＥ８０２はＥ−ＵＴＲＡＮ８０４に結合されている。Ｅ−ＵＴＲＡＮ８０４は、Ｓ１−Ｕインターフェースを介してサービングやＰＤＮのゲートウェイ８０６に結合されている。サービングやＰＤＮのゲートウェイ８０６はＳＧｉインターフェースを介してオペレータのＩＰサービス２２２（図２参照）に結合されている。Ｅ−ＵＴＲＡＮ８０４は、Ｓ１−ＭＭＥインターフェースを介してＭＭＥ８０８に結合されている。そして、サービングやＰＤＮのゲートウェイ８０６はＳ１１インターフェースを介してＭＭＥ８０８に結合されている。ＭＭＥ８０８は、Ｓ１０２インターフェースを介して１ｘＣＳインターワーキングソリューション（ＩＷＳ）８１０に結合されている。１ｘＣＳ  ＩＷＳ  ８１０は３ＧＰＰ２  １ｘＣＳ用のインターワーキング機能である。１ｘＣＳ  ＩＷＳ  ８１０はＡ１インターフェースを介して１ｘＲＴＴ移動交換局（ＭＳＣ）８１４に結合されている。１ｘＲＴＴ  ＭＳＣ８１４はＡ１インターフェースを介して１ｘＲＴＴ  ＣＳアクセス８１２に結合されている。１ｘＣＳ  ＩＷＳ  ８１０は論理的に１ｘ基地局コントローラ（ＢＳＣ：Base Station Controller）である。
【００４５】
１ｘＲＴＴ  ＭＳＣ８１４はＡ１メッセージ８１６をＩＷＳ８１０に送信する。するとＩＷＳ８１０は、対応する１ｘＲＴＴメッセージを生成して、それを１ｘＣＳＦＢ  ＵＥ８０２にトンネルで送信する。ＩＷＳ８１０は、トンネリングした１ｘＲＴＴメッセージを１ｘＣＳＦＢ  ＵＥ８０２から受信する。するとＩＷＳは、対応するＡ１メッセージを生成して、それを１ｘＲＴＴ  ＭＳＣ８１４に送信する。トンネリングした１ｘＲＴＴメッセージ８１６は、１ｘＲＴＴへの１ｘＣＳＦＢに関連した手順を取り扱うために１ｘＣＳＦＢ  ＵＥ８０２とＩＷＳ８１０との間にあるＭＭＥ８０８やＥ−ＵＴＲＡＮ８０４をトンネリングして通り抜けた（tunneled through）メッセージである。１ｘＲＴＴへの１ｘＣＳＦＢの手順は、移動性の管理（mobility management）や移動体による発呼（mobile originated calls）や移動体で終端する呼（mobile terminated calls）を含んでいて、「3rd Generation Partnership Project (3GPP); Technical Specification (TS) Group Services and System Aspects; Circuit Switched (CS) fallback in Evolved Packet System (EPS); Stage 2」と言う名称の３ＧＰＰ  ＴＳ  ２３．２７２に定義されている。
【００４６】
ＥＰＳにおける１ｘＲＴＴ用のＣＳフォールバックは、例えば、ＵＥ８２０がＥ−ＵＴＲＡＮのサービスを受けている時に１ｘＣＳインターフェース（８１２、８１４）の再使用による例えばショートメッセージサービス（ＳＭＳ：Short Message Service）やＣＳ音声（CS voice）のようなＣＳドメインサービス（CS-domain services）の引渡しを可能にする。ＣＳフォールバックは、モバイルブロードバンド用のＬＴＥを採用していながら音声呼び出しやＳＭＳのための現存する第二世代や第三世代のネットワーク（2G/3G networks）をキャリアが使用することを可能にする。ＣＳフォールバックの可能なＵＥは、Ｅ−ＵＴＲＡＮに接続されていても１ｘＲＴＴアクセスを用いてＣＳドメイン内で一個以上のＣＳサービスを確立するために１ｘＲＴＴ  ＣＳドメインに登録することができる。ＣＳフォールバック機能は、Ｅ−ＵＴＲＡＮの有効範囲が１ｘＲＴＴの有効範囲と重複している場合に利用できるだけである。ＣＳフォールバックオプションは、ＵＥ８０２がＬＴＥに留まっていたりＬＴＥで作動していたりした場合にＵＥ発でＵＥ着の呼（UE originated and UE terminated calls）を従来のＣＳシステムに「転送（redirect）」する機構を実現する。ＵＥで終端する呼（a UE terminated call）については、ページングメッセージ（a paging message）を介して掛かってくるＣＳ音声呼（an incoming CS voice call）のためにＵＳ８０２が呼び出される（be paged for）。ＵＥ８０２は、（ＵＥ８０２´として示すように）呼を受けるために無線技術に切り替わる。１ｘトラフィックチャネル（1x traffic channel）によるショートメッセージの配信がサポートされているならばＵＥ発の音声やＳＭＳの呼でも同様の切り替えが起きる。
【００４７】
１ｘＣＳ  ＣＳＦＢ  ＵＥ８０２は、Ｅ−ＵＴＲＡＮ８０４やＥＰＣ（すなわち、サービングやＰＤＮのゲートウェイ８０６およびＭＭＥ８０８）へのアクセスをサポートしているだけでなく１ｘＲＴＴによる１ｘＣＳドメインへのアクセスもサポートしていなければならない。さらに、１ｘＣＳＦＢ  ＵＥ８０２は、次の付加機能をサポートしている。すなわち、Ｅ−ＵＴＲＡＮ接続（E-UTRAN attachment）をＵＥが完了してしまった後のＥＰＳによる１ｘＲＴＴ  ＣＳ登録、移動性（mobility）による１ｘＲＴＴ  ＣＳ再登録、１ｘＣＳＦＢにより音声サービスが提供されている場合には１ｘＲＴＴ  ＣＳドメイン音声サービス用に指定されているＣＳフォールバック手順、トンネリングによりＥＰＳを通り抜けて（tunneled over）ＳＭＳがＳ１０２インターフェースにより提供されている場合にはＳ１０２をもトンネリングにより通り抜けた移動体発移動体終端ＳＭＳの手順を１ｘＣＳＦＢ  ＵＥ８０２はサポートしている。１ｘＣＳＦＢ手順には、１ｘＲＴＴへの拡張ＣＳフォールバック機能表示（enhanced CS fallback to 1xRTT capability indication）がＵＥ機能の一部として含まれていることがある他に、１ｘＲＴＴへの拡張ＣＳフォールバックの可能なＵＥ（enhanced CS fallback to 1xRTT capable UE）によりサポートされている場合には並行１ｘＲＴＴ（concurrent 1xRTT）および高速パケットデータ（ＨＲＰＤ：high rate packet data）機能表示がＵＥ無線機能の一部として含まれていることがある。
【００４８】
１ｘＣＳＦＢでは、ＭＭＥ８０８は次の付加機能をサポートしている。すなわち、カプセル化した３ＧＰＰ２  １ｘＣＳシグナリングメッセージのＵＥ８０２による送受信のためのＳ１０２インターフェースによる３ＧＰＰ２  １ｘＣＳ  ＩＷＳ８１０に向かうシグナリングトンネリング終点（a signaling tunneling end point）、ＣＳＦＢ手順のための１ｘＣＳ  ＩＷＳ８１０選択、ＭＭＥ再配置（MME relocation）の場合におけるＳ１０２トンネル転送（S102 tunnel redirection）の引き渡し、アイドル状態にあるＵＥｓのためにＳ１０２を介して受信したメッセージのバッファリングとして機能することをサポートしている。さらに、１ｘＣＳＦＢの可能なＥ−ＵＴＲＡＮ８０４は次の付加機能をサポートしている。すなわち、１ｘＣＳ登録をＵＥに行わせる制御情報の提供、１ｘＲＴＴ  ＣＳ呼び出し要求（1xRTT CS paging request）のＵＥへの転送、１ｘＲＴＴ  ＣＳ関連メッセージのＭＭＥ８０８とＵＥ８０２との間での転送、１ｘＣＳフォールバックに連携してＰＳハンドオーバ（PS handover）が行われない場合に１ｘＲＴＴ  ＣＳへのＣＳフォールバックの呼び出し（a page for CS fallback to 1xRTT CS）に続いてＵＥ８０２がＥ−ＵＴＲＡＮの有効範囲を立ち去った後におけるＥ−ＵＴＲＡＮリソースの解放、ネットワークとＵＥの両者によりサポートされている場合には拡張１ｘＣＳフォールバック手順と同時に最適であるか最適でないかのいずれかのＰＳハンドオーバ手順を呼び出すことをサポートしている。
【００４９】
図９は、拡張１ｘＣＳＦＢ（ｅ１ｘＣＳＦＢ：enhanced 1xCSFB）動作用のメッセージ（ｅ１ｘＣＳＦＢ用メッセージ）９０４と１ｘ固有動作用のメッセージ９０２との集合の例９００を示している。１ｘ固有動作用のメッセージ９０２には次のメッセージを含めることができる（もっと多くのメッセージや命令のあることが３ＧＰＰ２  Ｃ．Ｓ０００５−Ｅにより分かる。）。
【００５０】
●  命令群（Orders）  
○  パワーサイクル、要メンテナンス、ロック解除のいずれかまでロックの命令（Lock Until Power Cycled, Maintenance Required or Unlock Orders）  
○  短縮警報命令（Abbreviated Alert Order）  
○  登録許可命令（Registration Accepted Order）、登録拒否命令（Registration Rejected Order）、登録要求命令（Registration Request Order）  
○  監査命令（Audit Order）  
○  基地局肯定応答命令（Base Station Acknowledgement Order）  
○  基地局呼び掛け確認命令（Base Station Challenge Confirmation Order）  
○  再命令（Reorder）  
○  インタセプト命令（Intercept Order）  
○  解放命令（Release Order）  
○  スロットモード命令（Slotted Mode Order）  
○  再試行命令（Retry Order）  
○  Ｒｅｌ  Ａ  メッセージ  -  基地局拒否命令（Rel A Message - Base Station Reject Order）  
○  Ｒｅｌ  Ｄ  メッセージ  -  高速呼び出し設定命令（Rel D Message - Fast Call Setup Order）  
○  移動局拒否命令（Mobile Station Reject Order）  
○  基地局呼び掛け命令（Base Station Challenge Order）  
○  ＳＳＤ更新の確認または拒否の命令（SSD Update Confirmation/Rejection Order）  
●  メッセージ群（Messages）  
○  チャネル割り当てメッセージ（Channel Assignment Message）  
○  ハンドオフ指示メッセージ（Handoff Direction Message）  
○  ＴＭＳＩ割り当てメッセージ（TMSI Assignment Message）  
○  機能通知メッセージ（Feature Notification Message）  
○  データバーストメッセージ（Data Burst Message）  
○  状態要求メッセージ（Status Request Message）  
○  認証呼び掛けメッセージ（Authentication Challenge Message）  
○  共用秘密データ（ＳＳＤ）更新メッセージ（Shared Secret Data (SSD) Update Message）  
○  サービス転送メッセージ（Service Redirection Message）  
○  ＰＡＣＡメッセージ（PACA Message）  
○  Ｒｅｌ  Ａ  メッセージ  -  セキュリティーモードコマンドメッセージ（Rel A Message ‐ Security Mode Command Message）  
○  認証要求メッセージ（Authentication Request Message）  
○  呼び出しメッセージ（Page Message）  
○  登録メッセージ（Registration Message）  
○  発信メッセージ（Origination Message）  
○  呼び出し応答メッセージ（Page Response Message）  
○  認証呼び掛け応答メッセージ（Authentication Challenge Response Message）  
ｅ１ｘＣＳＦＢ動作のメッセージ９０４には次のメッセージを含めることができる。いずれも「トンネルメッセージ（Tunneled Message）」と呼ばれている。
【００５１】
●  命令群（Orders）  
○  登録許可命令（Registration Accepted Order）、登録拒否命令（Registration Rejected Order）、登録要求命令（Registration Request Order）  
○  基地局呼び掛け確認命令（Base Station Challenge Confirmation Order）  
○  再命令（Reorder）  
○  解放命令（Release Order）  
○  移動局拒否命令（Mobile Station Reject Order）  
○  基地局呼び掛け命令（Base Station Challenge Order）  
○  ＳＳＤ更新の確認または拒否の命令（SSD Update Confirmation/Rejection Order）  
●  メッセージ群（Messages）  
○  チャネル割り当てメッセージ（Channel Assignment Message）  
○  ハンドオフ指示メッセージ（Handoff Direction Message）  
○  データバーストメッセージ（Data Burst Message）  
○  認証呼び掛けメッセージ（Authentication Challenge Message）  
○  共用秘密データ（ＳＳＤ）更新メッセージ（Shared Secret Data (SSD) Update Message）  
○  呼び出しメッセージ（Page Message）  
○  登録メッセージ（Registration Message）  
○  発信メッセージ（Origination Message）  
○  呼び出し応答メッセージ（Page Response Message）  
○  認証呼び掛け応答メッセージ（Authentication Challenge Response Message）  
１ｘＲＴＴ  ＭＳＣ８１４は、１ｘＣＳ  ＩＷＳ８１０へのＡ１インターフェース８１８により集合Ｂ１がサポートされているかも知れないことを予期して１ｘ固有動作用のＡ１メッセージを送信するように構成されている。しかし、ＬＴＥは集合Ｂ２のｅ１ｘＣＳＦＢメッセージ９０４をサポートしているだけである。これが問題になる可能性がある。そのような問題に対処するために第一の構成では１ｘＣＳ  ＩＷＳ８１０に結合されている特定のＡ１インターフェース（例えば、Ａ１インターフェース８１８）で幾つかのメッセージをフィルタリングすること（filter）ができるように１ｘＲＴＴ  ＭＳＣ８１４が構成されていても差し支えない。このような構成では１ｘＲＴＴ  ＭＳＣ８１４は、集合Ｂ２内にはなく集合Ｂ１に含まれているメッセージの集合である、メッセージの集合Ｂ２Ｃ─すなわち、集合Ｂ２の補集合、の生成を促すＡ１メッセージをフィルタリングして除去する（filters out）。１ｘＲＴＴ  ＭＳＣ８１４が１ｘＣＳ  ＩＷＳ８１０に送信するべきであるのかそれともべきでないのかのメッセージを１ｘＲＴＴ  ＭＳＣ８１４は１ｘＣＳ  ＩＷＳ８１０により通知されることもある。フィルタリング（filtering）は動作、運営、管理（ＯＡＭ：operations, administration, and management）に基づく設定である。このような構成により１ｘ固有動作９０２のためのメッセージのサブセット（subset）だけがサポートされるようになる。
【００５２】
第二の構成では１ｘＣＳ  ＩＷＳ８１０は、１ｘ固有動作のためのどのような種類のメッセージ９０２がトンネルにより交換することができるのかを知っている。サポートされていないメッセージ（例えば、メッセージの集合Ｂ２Ｃに含まれるメッセージの生成を引き起こすメッセージ）を１ｘＣＳ  ＩＷＳ８１０が１ｘＲＴＴ  ＭＳＣ８１４から受け取ると、１ｘＣＳ  ＩＷＳ８１０はサポートされていないメッセージを音も立てずに廃棄する（silently discarding）ことによりサポートされていないメッセージをフィルタリングする。この構成により１ｘＲＴＴ  ＭＳＣ８１４はサポートされていないメッセージを繰り返し送信することになるかも知れない。第三の構成では、１ｘＣＳ  ＩＷＳ８１０はサポートされていないメッセージをフィルタリングし、１ｘＲＴＴ  ＭＳＣ８１４は１ｘＲＴＴ  ＭＳＣ８１４が送信するメッセージの幾つかに関する非受信の応答（not receiving responses）に対処するように構成されている。１ｘＲＴＴ  ＭＳＣ８１４は、サポートされていないメッセージに対する応答が受信されていない場合にメッセージの送信を控えることにより非受信の応答に対処する。第四の構成では、１ｘＣＳ  ＣＳＦＢ  ＵＥ８０２が活動停止（idle）である間に１ｘＲＴＴ  ＭＳＣ８１４から送信されてくる可能性のある全てのメッセージがサポートされている。このような構成では、集合Ｂ２は集合Ｂ１に等しい。
【００５３】
図１０は、１ｘＲＴＴ  ＣＳへのＣＳＦＢ用の典型的なアーキテクチャ１０００である。第五の構成では、インターフェースＡ１  ８１８とは異なるインターフェースＡ１’８２０を１ｘＲＴＴ  ＭＳＣ８１４が有しているので、１ｘＲＴＴ  ＭＳＣ８１４はメッセージの集合Ｂ２の生成を促すメッセージのサブセットを１ｘＣＳ  ＩＷＳ８１０に送信するだけでよい。第一ないし第五の構成から明らかなように、サポートされていないメッセージを１ｘＣＳ  ＩＷＳ８１０に送信するように１ｘＲＴＴ  ＭＳＣ８１４が構成されている場合には１ｘＲＴＴ  ＭＳＣ８１４および１ｘＣＳ  ＩＷＳ８１０は両者または一方がサポートされていないメッセージをフィルタリングしなければならない。１ｘＲＴＴ  ＭＳＣ８１４は、ｅ１ｘＣＳＦＢ手順のためにサポートされているメッセージのみを送信すること、または１ｘＲＴＴ  ＭＳＣ８１４が送信するサポートされていないメッセージに対する非受信の応答に対処することのいずれかを通じて１ｘＣＳ  ＩＷＳ８１０とのｅ１ｘＣＳＦＢメッセージングにおけるそれ自体の役割を果たさなければならないこともある。
【００５４】
図１１は、無線通信の第一の方法のフローチャート１１００である。この方法はＭＳＣ８１４により実行される。ここでＭＳＣ８１４はフィルタリングを行う。この方法では、どのメッセージがフィルタリングされなければならないのかまたはされてはならなのかに関する情報をＭＳＣ８１４は受信することもある（１１０２）。メッセージがメッセージの第一の集合に属しているのか、それともメッセージの第二の集合に属しているのかをＭＳＣ８１４は決定する（１１０４）。ＭＳＣ８１４は、そのメッセージがメッセージの第一の集合に属している場合にはそのメッセージをフィルタリングし（１１０６）、そのメッセージがメッセージの第二の集合に属している場合にはそのメッセージを送信する（１１０８）。ある構成では、ＭＳＣに結合されている装置によりサポートされていないメッセージがメッセージの第一の集合に含まれていて、当該装置によりサポートされているメッセージがメッセージの第二の集合に含まれている。メッセージの第一の集合はＩＷＳにおいてメッセージＢ２Ｃの生成を促すメッセージの集合に対応していて、メッセージの第二の集合はＩＷＳにおいてメッセージＢ２の生成を促すメッセージの集合に対応している。ある構成では、装置はＩＷＳであり、サポートされていないメッセージはユーザ装置にトンネリングするための、ＩＷＳによりサポートされていない１ｘ固有メッセージであり、サポートされているメッセージは回線交換フォールバックのためにユーザ装置にトンネリングするための、ＩＷＳによりサポートされている１ｘ固有メッセージである。ある構成では、工程１１０２で受信した情報はＩＷＳから受信している。ある構成では、メッセージはＡ１インターフェースによって送信される。
【００５５】
図１２は、典型的な装置１００の機能を示す概念的なブロック図１２００である。装置１００はＭＳＣ８１４であり、このＭＳＣ８１４がフィルタリングを行う。装置１００には、メッセージがメッセージの第一の集合に属しているのかそれともメッセージの第二の集合に属しているのかを決定するモジュール１２０２が含まれている。さらに、そのメッセージがメッセージの第一の集合に属している場合にはそのメッセージをフィルタリングするモジュール１２０４やそのメッセージがメッセージの第二の集合に属している場合にはそのメッセージを送信するモジュール１２０６が装置１００に含まれている。
【００５６】
図１３は、無線通信の方法のフローチャート１３００である。この方法はＩＷＳ８１０により実行され、ＩＷＳ８１０は幾つかのメッセージを廃棄する。この方法では、ＩＷＳ８１０はメッセージを装置から受信する（１３０２）。そのメッセージがメッセージの第一の集合に属しているのかそれともメッセージの第二の集合に属しているのかをＩＷＳ８１０が決定する（１３０４）。そのメッセージがメッセージの第一の集合に属している場合にはＩＷＳ８１０はそのメッセージを廃棄する（１３０６）。そのメッセージがメッセージの第二の集合に属している場合にはＩＷＳ８１０はそのメッセージを処理する（１３０８）。ある構成では、メッセージがＭＳＣから受信される。ある構成では、回線交換フォールバック手順のためにユーザ装置にトンネリングするための、サポートされていないメッセージがメッセージの第一の集合に含まれていて、回線交換フォールバック手順のためにユーザ装置にトンネリングするための、サポートされているメッセージがメッセージの第二の集合に含まれている。ある構成ではそのメッセージがＡ１インターフェースで受信される１ｘ固有動作のためのメッセージである。
【００５７】
図１４は、典型的な装置１００の機能を示す概念的なブロック図１４００である。装置１００はＩＷＳ８１０であり、このＩＷＳ８１０が幾つかのメッセージを廃棄する。装置１００には、装置からメッセージを受信するモジュール１４０２が含まれている。さらに、そのメッセージがメッセージの第一の集合に属しているのか、それともメッセージの第二の集合に属しているのかを決定するモジュール１４０４が装置１００に含まれている。さらに、そのメッセージがメッセージの第一の集合に属している場合にはそのメッセージを廃棄するモジュール１４０６が装置１００に含まれている。
【００５８】
図１５は、無線通信の方法のフローチャート１５００である。この方法はＭＳＣ８１４により実行され、ＩＷＳ８１０が幾つかのメッセージを廃棄したときにＭＳＣ８１４は非受信の応答に対処する。この方法ではＭＳＣ８１４はメッセージを装置に送信する（１５０２）。そのメッセージは、メッセージの第一の集合かメッセージの第二の集合の一方に属している（１５０２）。さらに、そのメッセージがメッセージの第二の集合に属していて、しかもその送信したメッセージに関して応答が受信されていない場合にはＭＳＣ８１４は第二のメッセージを送信する（１５０４）。さらに、そのメッセージがメッセージの第一の集合に属していてしかもその送信したメッセージに関して応答が受信されていない場合にはＭＳＣ８１４は第二のメッセージの送信を控える（１５０６）。ある構成ではそのメッセージがＵＥにトンネリングするためのものである。ある構成では装置はＩＷＳ８１０である。ある構成では、そのメッセージがＡ１インターフェースによりサポートされている１ｘ固有動作のための任意のメッセージである。
【００５９】
図１６は、典型的な装置１００の機能を示す概念的なブロック図１６００である。装置１００はＭＳＣ８１４であり、ＩＷＳ８１０が幾つかのメッセージを廃棄した場合にＭＳＣ８１４が非受信の応答に対処する。装置１００には、メッセージを装置に送信するモジュール１６０２が含まれている。そのメッセージはメッセージの第一の集合かメッセージの第二の集合の一方に属している。さらに、そのメッセージがメッセージの第二の集合に属していてしかもその送信したメッセージに関して応答が受信されていない場合には第二のメッセージを送信するモジュール１６０４が装置１００に含まれている。さらに、そのメッセージがメッセージの第一の集合に属していてしかもその送信したメッセージに関して応答が受信されていない場合には第二のメッセージの送信を控えるモジュール１６０６が装置１００に含まれている。
【００６０】
図１７は、無線通信の方法のフローチャート１７００である。この方法はＩＷＳ８１０により実行され、Ａ１インターフェースにより１ｘ固有動作のための全ての可能なメッセージをＩＷＳ８１０はサポートしている。この方法では、ＩＷＳ８１０はＭＳＣ８１４から任意のメッセージを受信して（１７０２）、回線交換フォールバック手順のためにユーザ装置にトンネリングするためのそのメッセージを処理する（１７０４）。そのメッセージは、Ａ１インターフェースでサポートされている１ｘ固有動作のためのどのようなメッセージでも構わない。
【００６１】
図１８は、典型的な装置１００の機能を示す概念的なブロック図１８００である。装置１００はＩＷＳ８１０であり、このＩＷＳ８１０はＡ１インターフェースを通じて１ｘ固有動作のための全ての可能なメッセージをサポートしている。装置１００には、任意のメッセージをＭＳＣ８１４から受信するモジュール１８０２や回線交換フォールバック手順のためにユーザ装置にトンネリングするためのメッセージを処理するモジュール１８０４が含まれている。
【００６２】
図１９は、無線通信の方法のフローチャート１９００である。この方法はＭＳＣ８１４により実行され、１ｘＣＳＦＢ手順のための１ｘメッセージのみをサポートしているＩＷＳ８１０へのインターフェースＡ１’をＭＳＣ８１４が有している。この方法では、回線交換フォールバック手順に関してメッセージをＩＷＳ８１０に送信することをＭＳＣ８１４が決定する（１９０２）。さらに、インターフェースＡ１’に関するメッセージをＭＳＣ８１４は送信する（１９０４）。インターフェースＡ１’はＡ１インターフェースとは異なっている（１９０４）。インターフェースＡ１’は、Ａ１インターフェースによりサポートされているメッセージのサブセットだけを含んでいて、ＩＷＳ８１０においてメッセージＢ２の集合の生成を促すメッセージの集合だけに対応している。ある構成では、そのメッセージはＵＥにトンネリングするための１ｘ固有メッセージである。ある構成では、インターフェースＡ１’は回線交換フォールバック手順のためにトンネリングしたメッセージだけをサポートしている。
【００６３】
図２０は、典型的な装置１００の機能を示す概念的なブロック図２０００である。装置１００はＭＳＣ８１４であり、１ｘＣＳＦＢ手順のための１ｘメッセージだけをサポートしているＩＷＳ８１０へのインターフェースＡ１’をＭＳＣ８１４は有している。装置１００には、回線交換フォールバック手順に関してＩＷＳ８１０にメッセージを送信することを決定するモジュール２００２が含まれている。さらに、インターフェースＡ１’に関するメッセージを送信するモジュール２００４が装置１００に含まれている。インターフェースＡ１’はＡ１インターフェースとは異なっている。
【００６４】
図１に関してある構成では装置１００はＭＳＣで差し支えないが、メッセージがメッセージの第一の集合に属しているのかそれともメッセージの第二の集合に属しているのかを決定するための手段やそのメッセージがメッセージの第一の集合に属している場合にはそのメッセージをフィルタリングする手段やそのメッセージがメッセージの第二の集合に属している場合にはそのメッセージを送信する手段を含んでいる。どのメッセージがフィルタリングされなければならないのか、またはされてはならないなのかに関する情報を受信する手段を装置１００がさらに含むことができる。前述の諸手段は、前述の諸手段として記載した諸機能を実行するように構成されているＭＳＣの処理システム１１４である。
【００６５】
ある構成では装置１００は、ＩＷＳであり得るが、装置からメッセージを受信するための手段やそのメッセージがメッセージの第一の集合に属しているのか、それともメッセージの第二の集合に属しているのかを決定するための手段やそのメッセージがメッセージの第一の集合に属している場合にはそのメッセージを廃棄するための手段を含んでいる。装置１００は、そのメッセージがメッセージの第二の集合に属している場合にそのメッセージを処理するための手段をさらに含むことができる。前述の諸手段は、前述の諸手段として記載した諸機能を実行するように構成されているＩＷＳの処理システム１１４である。
【００６６】
ある構成では装置１００はＭＳＣであり得るが、装置にメッセージを送信するための手段を含んでいる。そのメッセージはメッセージの第一の集合かメッセージの第二の集合の一方に属している。さらに装置１００は、そのメッセージがメッセージの第二の集合に属していてしかもその送信したメッセージに関して応答が受信されていない場合に第二のメッセージを送信するための手段や、そのメッセージがメッセージの第一の集合に属していてしかもその送信したメッセージに関して応答が受信されていない場合に第二のメッセージを送信することを控える手段を含んでいる。前述の諸手段は、前述の諸手段として記載した諸機能を実行するように構成されているＭＳＣの処理システム１１４である。
【００６７】
ある構成では装置１００はＩＷＳで差し支えないが、任意のメッセージをＭＳＣから受信するための手段や回線交換フォールバック手順のためにユーザ装置にトンネリングするためのメッセージを処理するための手段を含んでいる。前述の諸手段は、前述の諸手段として記載した諸機能を実行するように構成されているＩＷＳの処理システム１１４である。
【００６８】
ある構成では装置１００はＭＳＣであり得るが、回線交換フォールバック手順に関してメッセージをＩＷＳに送信することを決定するための手段やインターフェースに関するメッセージを送信するための手段を含んでいる。このインターフェースはＡ１インターフェースとは異なっている。前述の諸手段は、前述の諸手段として記載した諸機能を果たすように構成されているＭＳＣの処理システム１１４である。
【００６９】
開示した処理に含まれる諸工程の特定の順序や階層は典型的な取り組み方の例示であることが理解される。処理に関する特定の順序や階層は設計の好みに応じて並べ替えることができることが理解される。添付した方法の請求項は例示的な順番で様々な工程の要素を提示しているが提示した特定の順序や階層に限定されることを意味していない。
【００７０】
以上の説明は、当業者であればここに記載した様々な態様を実施することができるように提示されている。当業者であればこれらの態様に対する様々な修正は直ちに明らかである。また、ここに定義した一般的な原則は他の諸態様にも適用することができる。したがって特許請求の範囲は、ここに示した諸態様に限定されることが意図されているのではなくて特許請求の範囲の表現と整合している完全な範囲に一致するものと解釈されるべきである。また、ある要素が単数形で表現されていても特に断りのない限り「唯一無二（one and only one）」の意味が意図されているのではなくて、むしろ「一つ以上（one or more）」の意味が意図されている。また、別段の記載が特にない限り用語「幾つかの（some）」は一つ以上のことである。この開示全体に亘って記載されている様々な態様の諸要素に構造や機能の点で均等であり、しかも当業者の間で知られているか後々に知られるようになったものはこの言及によりいずれもここに明示的に組み込まれ、特許請求の範囲に含まれることが意図されている。さらに、ここに開示されているものが特許請求の範囲に明示的に記載されているかどうかには係わりなくいずれも公に捧げられることは意図されていない。表現「のための手段（means for）」を用いて要素が明確に記載されている場合や方法の請求項では表現「のためのステップ（step for）」を用いて要素が記載されている場合を除いて米国特許法第１１２条第６段落の規定の下で解釈される請求項の要素はない。
【図１】
2014064300.tif 000003
【図２】
2014064300.tif 000004
【図３】
2014064300.tif 000005
【図５】
2014064300.tif 000006
【図６】
2014064300.tif 000007
【図７】
2014064300.tif 000008
【図８】
2014064300.tif 000009
【図９】
2014064300.tif 000010
【図１０】
2014064300.tif 000011
【図１１】
2014064300.tif 000012
【図１２】
2014064300.tif 000013
【図１３】
2014064300.tif 000014
【図１４】
2014064300.tif 000015
【図１５】
2014064300.tif 000016
【図１６】
2014064300.tif 000017
【図１７】
2014064300.tif 000018
【図１８】
2014064300.tif 000019
【図１９】
2014064300.tif 000020
【図２０】
2014064300.tif 000021
【図４】
2014064300.tif 000022
【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
移動交換局（ＭＳＣ）から任意のメッセージを受信することと、
回線交換フォールバック手順のためにユーザ装置にトンネリングするための前記メッセージを処理することと
を含むインターワーキングソリューション（ＩＷＳ）の方法。
【請求項２】
前記メッセージがＡ１インターフェースでサポートされている１ｘ固有動作のための任意のメッセージである、請求項１の方法。
【請求項３】
回線交換フォールバック手順に関してインターワーキングソリューション（ＩＷＳ）にメッセージを送信することを決定することと、
インターフェースで前記メッセージを送信することであって、前記インターフェースがＡ１インターフェースとは異なっている、送信することと
を含む移動交換局（ＭＳＣ）の方法。
【請求項４】
前記メッセージがユーザ装置にトンネリグするための１ｘ固有メッセージである、請求項３の方法。
【請求項５】
前記インターフェースが回線交換フォールバック手順のためのトンネリングしたメッセージだけをサポートしている、請求項３の方法。
【請求項６】
移動交換局（ＭＳＣ）から任意のメッセージを受信するための手段と、
回線交換フォールバック手順のためにユーザ装置にトンネリングするための前記メッセージを処理するための手段と
を含むインターワーキングソリューション（ＩＷＳ）。
【請求項７】
前記メッセージがＡ１インターフェースでサポートされている１ｘ固有動作のための任意のメッセージである、請求項６のＩＷＳ。
【請求項８】
回線交換フォールバック手順に関してメッセージをインターワーキングソリューション（ＩＷＳ）に送信することを決定するための手段と、
インターフェースで前記メッセージを送信するための手段であって、前記インターフェースがＡ１インターフェースとは異なる、送信するための手段と
を含む移動交換局（ＭＳＣ）。
【請求項９】
前記メッセージがユーザ装置にトンネリングするための１ｘ固有メッセージである、請求項８のＭＳＣ。
【請求項１０】
前記インターフェースが回線交換フォールバック手順のためにトンネリングしたメッセージだけをサポートする、請求項８のＭＳＣ。
【請求項１１】
移動交換局（ＭＳＣ）から任意のメッセージを受信し、
回線交換フォールバック手順のためにユーザ装置にトンネリングするための前記メッセージを処理する
ためのコードを含むコンピュータ読み取り可能媒体
を含む、インターワーキングソリューション（ＩＷＳ）のコンピュータプログラム製品。
【請求項１２】
前記メッセージが、Ａ１インターフェースでサポートされている１ｘ固有動作のための任意のメッセージである、請求項１１のコンピュータプログラム製品。
【請求項１３】
回線交換フォールバック手順に関してインターワーキングソリューション（ＩＷＳ）にメッセージを送信することを決定することと、
Ａ１インターフェースとは異なるインターフェースで前記メッセージを送信することと
のためのコードを含むコンピュータ読み取り可能媒体
を含む、移動交換局（ＭＳＣ）のコンピュータプログラム製品。
【請求項１４】
前記メッセージが、ユーザ装置にトンネリングするための１ｘ固有メッセージである、請求項１３のコンピュータプログラム製品。
【請求項１５】
前記インターフェースが、回線交換フォールバック手順のためにトンネリングしたメッセージだけをサポートする、請求項１３のコンピュータプログラム製品。
【請求項１６】
移動交換局（ＭＳＣ）から任意のメッセージを受信し、
回線交換フォールバック手順のためにユーザ装置にトンネリングするための前記メッセージを処理する
ように構成されている処理システム
を含むインターワーキングソリューション（ＩＷＳ）。
【請求項１７】
前記メッセージが、Ａ１インターフェースでサポートされている１ｘ固有動作のための任意のメッセージである、請求項１６のＩＷＳ。
【請求項１８】
回線交換フォールバック手順に関してインターワーキングソリューション（ＩＷＳ）にメッセージを送信することを決定し、
インターフェースで前記メッセージを送信し、前記インターフェースがＡ１インターフェースとは異なっている、
ように構成されている処理システム
を含む移動交換局（ＭＳＣ）。
【請求項１９】
前記メッセージがユーザ装置にトンネリングするための１ｘ固有メッセージである、請求項１８のＭＳＣ。
【請求項２０】
前記インターフェースが回線交換フォールバック手順のためのトンネリングしたメッセージだけをサポートしている、請求項１８のＭＳＣ。
【手続補正２】
【補正対象書類名】明細書
【補正対象項目名】００７０
【補正方法】変更
【補正の内容】
【００７０】
以上の説明は、当業者であればここに記載した様々な態様を実施することができるように提示されている。当業者であればこれらの態様に対する様々な修正は直ちに明らかである。また、ここに定義した一般的な原則は他の諸態様にも適用することができる。したがって特許請求の範囲は、ここに示した諸態様に限定されることが意図されているのではなくて特許請求の範囲の表現と整合している完全な範囲に一致するものと解釈されるべきである。また、ある要素が単数形で表現されていても特に断りのない限り「唯一無二（one and only one）」の意味が意図されているのではなくて、むしろ「一つ以上（one or more）」の意味が意図されている。また、別段の記載が特にない限り用語「幾つかの（some）」は一つ以上のことである。この開示全体に亘って記載されている様々な態様の諸要素に構造や機能の点で均等であり、しかも当業者の間で知られているか後々に知られるようになったものはこの言及によりいずれもここに明示的に組み込まれ、特許請求の範囲に含まれることが意図されている。さらに、ここに開示されているものが特許請求の範囲に明示的に記載されているかどうかには係わりなくいずれも公に捧げられることは意図されていない。表現「のための手段（means for）」を用いて要素が明確に記載されている場合や方法の請求項では表現「のためのステップ（step for）」を用いて要素が記載されている場合を除いて米国特許法第１１２条第６段落の規定の下で解釈される請求項の要素はない。
なお、以下に、出願当初の特許請求の範囲に記載された発明を付記する。
［Ｃ１］メッセージがメッセージの第一の集合に属しているのかそれともメッセージの第二の集合に属しているのかを決定すること、
前記メッセージがメッセージの第一の集合に属している場合には、前記メッセージをフィルタリングすること、
前記メッセージがメッセージの第二の集合に属している場合には、前記メッセージを送信すること
を含む移動交換局（ＭＳＣ）の方法。
［Ｃ２］メッセージの第一の集合が前記ＭＳＣに結合されている装置によってサポートされていないメッセージを含み、メッセージの第二の集合が前記装置によってサポートされているメッセージを含む、Ｃ１の方法。
［Ｃ３］前記装置がインターワーキングソリューション（ＩＷＳ）であり、前記サポートされていないメッセージがユーザ装置にトンネリングするための、前記ＩＷＳによってサポートされていない１ｘ固有メッセージであり、前記サポートされているメッセージが回線交換フォールバック手順のために前記ユーザ装置にトンネリングするための、前記ＩＷＳによってサポートされている１ｘ固有メッセージである、Ｃ２の方法。
［Ｃ４］どのメッセージが、フィルタリングされるべきであるのか、またはされるべきでないのかに関する情報を受信することをさらに含むＣ１の方法。
［Ｃ５］前記情報が、結合されているインターワーキングソリューション（ＩＷＳ）から受信されるＣ４の方法。
［Ｃ６］メッセージがＡ１インターフェースで送信されるＣ１の方法。
［Ｃ７］装置からメッセージを受信すること、
前記メッセージがメッセージの第一の集合に属しているのか、それともメッセージの第二の集合に属しているのかを決定すること、
前記メッセージがメッセージの第一の集合に属している場合には、前記メッセージを廃棄すること
を含む、インターワーキングソリューション（ＩＷＳ）の方法。
［Ｃ８］前記メッセージが移動交換局（ＭＳＣ）から受信されるＣ７の方法。
［Ｃ９］前記メッセージがメッセージの第二の集合に属している場合には、前記メッセージを処理することをさらに含むＣ７の方法。
［Ｃ１０］メッセージの第一の集合が回線交換フォールバック手順のためにユーザ装置にトンネリングするためのサポートされていないメッセージを含み、メッセージの第二の集合が回線交換フォールバック手順のために前記ユーザ装置にトンネリングするためのサポートされているメッセージを含む、Ｃ７の方法。
［Ｃ１１］前記メッセージがＡ１インターフェースで受け取られた１ｘ固有動作のためのメッセージである、Ｃ７の方法。
［Ｃ１２］メッセージを装置に送信することであって、前記メッセージはメッセージの第一の集合またはメッセージの第二の集合の一方に属している、送信することと、
前記メッセージがメッセージの第二の集合に属していて、しかも前記送信したメッセージに関して応答が受信されていない場合には第二のメッセージを送信することと、
前記メッセージがメッセージの第一の集合に属していて、しかも前記送信したメッセージに関して応答が受信されていない場合には第二のメッセージを送信することを控えることと
を含む移動交換局（ＭＳＣ）の方法。
［Ｃ１３］前記メッセージがユーザ装置にトンネリングするためのものである、Ｃ１２の方法。
［Ｃ１４］前記装置がインターワーキングソリューション（ＩＷＳ）である、Ｃ１２の方法。
［Ｃ１５］前記メッセージがＡ１インターフェースによりサポートされている１ｘ固有動作のための任意のメッセージである、Ｃ１２の方法。
［Ｃ１６］移動交換局（ＭＳＣ）から任意のメッセージを受信することと、
回線交換フォールバック手順のためにユーザ装置にトンネリングするための前記メッセージを処理することと
を含むインターワーキングソリューション（ＩＷＳ）の方法。
［Ｃ１７］前記メッセージがＡ１インターフェースでサポートされている１ｘ固有動作のための任意のメッセージである、Ｃ１６の方法。
［Ｃ１８］回線交換フォールバック手順に関してインターワーキングソリューション（ＩＷＳ）にメッセージを送信することを決定することと、
インターフェースで前記メッセージを送信することであって、前記インターフェースがＡ１インターフェースとは異なっている、送信することと
を含む移動交換局（ＭＳＣ）の方法。
［Ｃ１９］前記メッセージがユーザ装置にトンネリグするための１ｘ固有メッセージである、Ｃ１８の方法。
［Ｃ２０］前記インターフェースが回線交換フォールバック手順のためのトンネリングしたメッセージだけをサポートしているＣ１８の方法。
［Ｃ２１］メッセージがメッセージの第一の集合に属しているのか、それともメッセージの第二の集合に属しているのかを決定するための手段と、
前記メッセージがメッセージの第一の集合に属している場合に前記メッセージをフィルタリングするための手段と、
前記メッセージがメッセージの第二の集合に属している場合に前記メッセージを送信するための手段と
を含む移動交換局（ＭＳＣ）。
［Ｃ２２］前記メッセージの第一の集合が、前記のＭＳＣに結合されている装置によりサポートされていないメッセージを含んでいて、前記メッセージの第二の集合が前記装置によりサポートされているメッセージを含んでいるＣ２１のＭＳＣ。
［Ｃ２３］前記装置がインターワーキングソリューション（ＩＷＳ）であり、前記サポートされていないメッセージがユーザ装置にトンネリングするための、ＩＷＳによりサポートされていない１ｘ固有メッセージであり、前記サポートされているメッセージが回線交換フォールバック手順のために前記ユーザ装置にトンネリングするための、ＩＷＳによりサポートされている１ｘ固有メッセージである、Ｃ２２のＭＳＣ。
［Ｃ２４］どのメッセージがフィルタリングされるべきであるのか、またはされるべきでないのかに関する情報を受信する手段をさらに含む、Ｃ２１のＭＳＣ。
［Ｃ２５］前記情報が、結合されているインターワーキングソリューション（ＩＷＳ）から受信されるＣ２４のＭＳＣ。
［Ｃ２６］前記メッセージがＡ１インターフェースで送信されるＣ２１のＭＳＣ。
［Ｃ２７］装置からメッセージを受信するための手段と、
前記メッセージがメッセージの第一の集合に属しているのか、それともメッセージの第二の集合に属しているのかを決定するための手段と、
前記メッセージがメッセージの第一の集合に属している場合に前記メッセージを廃棄するための手段と
を含むインターワーキングソリューション（ＩＷＳ）。
［Ｃ２８］前記メッセージが移動交換局（ＭＳＣ）から受信されるＣ２７のＩＷＳ。
［Ｃ２９］前記メッセージがメッセージの第二の集合に属している場合に前記メッセージを処理するための手段をさらに含むＣ２７のＩＷＳ。
［Ｃ３０］メッセージの第一の集合が、回線交換フォールバック手順のためにユーザ装置にトンネリングするための、サポートされていないメッセージを含んでいて、メッセージの第二の集合が回線交換フォールバック手順のために前記ユーザ装置にトンネリングするための、サポートされているメッセージを含んでいるＣ２７のＩＷＳ。
［Ｃ３１］前記メッセージが、Ａ１インターフェースで受信される１ｘ固有動作のためのメッセージである、Ｃ２７のＩＷＳ。
［Ｃ３２］メッセージを装置に送信するための手段と、前記メッセージがメッセージの第一の集合かメッセージの第二の集合の一方に属していることと、
前記メッセージがメッセージの第二の集合に属していて、しかも前記送信したメッセージに関して応答が受信されていない場合に第二のメッセージを送信するための手段と、
前記メッセージがメッセージの第一の集合に属していて、しかも前記送信したメッセージに関して応答が受信されていない場合に第二のメッセージを送信することを控えるための手段と
を含む移動交換局（ＭＳＣ）
［Ｃ３３］前記メッセージがユーザ装置にトンネリングするためのものである、Ｃ３２のＭＳＣ。
［Ｃ３４］前記装置がインターワーキングソリューション（ＩＷＳ）である、Ｃ３２のＭＳＣ。
［Ｃ３５］前記メッセージがＡ１インターフェースによりサポートされている１ｘ固有動作のためのメッセージである、Ｃ３２のＭＳＣ。
［Ｃ３６］移動交換局（ＭＳＣ）から任意のメッセージを受信するための手段と
回線交換フォールバック手順のためにユーザ装置にトンネリングするための前記メッセージを処理するための手段と
を含むインターワーキングソリューション（ＩＷＳ）。
［Ｃ３７］前記メッセージがＡ１インターフェースでサポートされている１ｘ固有動作のための任意のメッセージである、Ｃ３６のＩＷＳ。
［Ｃ３８］回線交換フォールバック手順に関してメッセージをインターワーキングソリューション（ＩＷＳ）に送信することを決定するための手段と
インターフェースで前記メッセージを送信するための手段と、前記インターフェースがＡ１インターフェースとは異なることと
を含む移動交換局（ＭＳＣ）。
［Ｃ３９］前記メッセージがユーザ装置にトンネリングするための１ｘ固有メッセージである、Ｃ３８のＭＳＣ。
［Ｃ４０］前記インターフェースが回線交換フォールバック手順のためにトンネリングしたメッセージだけをサポートするＣ３８のＭＳＣ。
［Ｃ４１］メッセージがメッセージの第一の集合に属しているのか、それともメッセージの第二の集合に属しているのかを決定し、
前記メッセージがメッセージの第一の集合に属する場合には、前記メッセージをフィルタリングし、
前記メッセージがメッセージの第二の集合に属する場合には、前記メッセージを送信する
ためのコードを含むコンピュータ読み取り可能媒体
を含む、移動交換局（ＭＳＣ）のコンピュータプログラム製品。
［Ｃ４２］前記メッセージの第一の集合が前記ＭＳＣに結合されている装置によってサポートされていないメッセージを含み、前記メッセージの第二の集合が前記装置によってサポートされているメッセージを含む、Ｃ４１のコンピュータプログラム製品。
［Ｃ４３］前記装置がインターワーキングソリューション（ＩＷＳ）であり、前記サポートされていないメッセージが、ユーザ装置にトンネリングするための、ＩＷＳによりサポートされていない１ｘ固有メッセージであり、前記サポートされているメッセージが、回線交換フォールバック手順のために前記ユーザ装置にトンネリングするための、ＩＷＳによりサポートされている１ｘ固有メッセージである、Ｃ４２のコンピュータプログラム製品。
［Ｃ４４］前記コンピュータ読み取り可能媒体はどのメッセージがフィルタリングされるべきであるのか、またはされるべきでないのかに関する情報を受信するためのコードをさらに含むＣ４１のコンピュータプログラム製品。
［Ｃ４５］前記情報が、結合されているインターワーキングソリューション（ＩＷＳ）から受信されるＣ４４のコンピュータプログラム製品。
［Ｃ４６］前記メッセージがＡ１インターフェースで送信されるＣ４１のコンピュータプログラム製品。
［Ｃ４７］メッセージを装置から受信し、
前記メッセージがメッセージの第一の集合に属しているのかそれともメッセージの第二の集合に属しているのかを決定し、
前記メッセージがメッセージの第一の集合に属する場合に前記メッセージを廃棄する
ためのコードを含むコンピュータ読み取り可能媒体
を含む、インターワーキングソリューション（ＩＷＳ）のコンピュータプログラム製品。
［Ｃ４８］前記メッセージが移動交換局（ＭＳＣ）から受信されるＣ４７のコンピュータプログラム製品。
［Ｃ４９］前記メッセージがメッセージの第二の集合に属している場合に前記メッセージを処理するためのコードをコンピュータ読み取り可能媒体がさらに含むＣ４７のコンピュータプログラム製品。
［Ｃ５０］メッセージの第一の集合が、回線交換フォールバック手順のためにユーザ装置にトンネリングするためのサポートされていないメッセージを含み、メッセージの第二の集合が、回線交換フォールバック手順のために前記ユーザ装置にトンネリングするためのサポートされているメッセージを含む、Ｃ４７のコンピュータプログラム製品。
［Ｃ５１］前記メッセージが、Ａ１インターフェースで受信される１ｘ固有動作のためのメッセージである、Ｃ４７のコンピュータプログラム製品。
［Ｃ５２］メッセージを装置に送信することであって、但し前記メッセージがメッセージの第一の集合またはメッセージの第二の集合の一方に属している、送信することと、
前記メッセージがメッセージの第二の集合に属していて、しかも前記送信したメッセージに関して応答が受信されていない場合に第二のメッセージを送信することと、
前記メッセージがメッセージの第一の集合に属していて、しかも前記送信したメッセージに関して応答が受信されていない場合に第二のメッセージを送信することを控えること
のためのコードを含むコンピュータ読み取り可能媒体
を含む、移動交換局（ＭＳＣ）のコンピュータプログラム製品。
［Ｃ５３］前記メッセージがユーザ装置にトンネリングするためのものである、Ｃ５２のコンピュータプログラム製品。
［Ｃ５４］前記装置がインターワーキングソリューション（ＩＷＳ）である、Ｃ５２のコンピュータプログラム製品。
［Ｃ５５］前記メッセージが、Ａ１インターフェースによりサポートされている１ｘ固有動作のための任意のメッセージである、Ｃ５２のコンピュータプログラム製品。
［Ｃ５６］移動交換局（ＭＳＣ）から任意のメッセージを受信し、
回線交換フォールバック手順のためにユーザ装置にトンネリングするための前記メッセージを処理する
ためのコードを含むコンピュータ読み取り可能媒体
を含む、インターワーキングソリューション（ＩＷＳ）のコンピュータプログラム製品。
［Ｃ５７］前記メッセージが、Ａ１インターフェースでサポートされている１ｘ固有動作のための任意のメッセージである、Ｃ５６のコンピュータプログラム製品。
［Ｃ５８］回線交換フォールバック手順に関してインターワーキングソリューション（ＩＷＳ）にメッセージを送信することを決定することと、
Ａ１インターフェースとは異なるインターフェースで前記メッセージを送信することと
のためのコードを含むコンピュータ読み取り可能媒体
を含む、移動交換局（ＭＳＣ）のコンピュータプログラム製品。
［Ｃ５９］前記メッセージが、ユーザ装置にトンネリングするための１ｘ固有メッセージである、Ｃ５８のコンピュータプログラム製品。
［Ｃ６０］前記インターフェースが、回線交換フォールバック手順のためにトンネリングしたメッセージだけをサポートするＣ５８のコンピュータプログラム製品。
［Ｃ６１］メッセージがメッセージの第一の集合に属しているのかそれともメッセージの第二の集合に属しているのかを決定し、
前記メッセージがメッセージの第一の集合に属している場合には前記メッセージをフィルタリングし、
前記メッセージがメッセージの第二の集合に属している場合には前記メッセージを送信する
ように構成されている処理システム
を含む移動交換局（ＭＳＣ）。
［Ｃ６２］メッセージの第一の集合が前記ＭＳＣに結合されている装置によりサポートされていないメッセージを含み、メッセージの第二の集合が前記装置によりサポートされているメッセージを含む、Ｃ６１のＭＳＣ。
［Ｃ６３］前記装置がインターワーキングソリューション（ＩＷＳ）であり、前記サポートされていないメッセージがユーザ装置にトンネリングするための、ＩＷＳによりサポートされていない１ｘ固有メッセージであり、前記サポートされているメッセージが回線交換フォールバック手順のために前記ユーザ装置にトンネリングするための、ＩＷＳによりサポートされている１ｘ固有メッセージである、Ｃ６２のＭＳＣ。
［Ｃ６４］どのメッセージがフィルタリングされるべきであるのか、またはされるべきでないのかに関する情報を受信するように前記処理システムがさらに構成されているＣ６１のＭＳＣ。
［Ｃ６５］結合されているインターワーキングソリューション（ＩＷＳ）から前記情報が受信されるＣ６４のＭＳＣ。
［Ｃ６６］前記メッセージがＡ１インターフェースで送信されるＣ６１のＭＳＣ。
［Ｃ６７］装置からメッセージを受信し、
前記メッセージがメッセージの第一の集合に属しているのか、それともメッセージの第二の集合に属しているのかを決定し、
前記メッセージがメッセージの第一の集合に属している場合には前記メッセージを廃棄する
ように構成されている処理システム
を含むインターワーキングソリューション（ＩＷＳ）。
［Ｃ６８］前記メッセージが移動交換局（ＭＳＣ）から受信されるＣ６７のＩＷＳ。
［Ｃ６９］前記処理システムは、前記メッセージがメッセージの第二の集合に属している場合には前記メッセージを処理するようにさらに構成されているＣ６７のＩＷＳ。
［Ｃ７０］前記メッセージの第一の集合が回線交換フォールバック手順のためにユーザ装置にトンネリングするためのサポートされていないメッセージを含み、前記メッセージの第二の集合が回線交換フォールバック手順のために前記ユーザ装置にトンネリングするためのサポートされているメッセージを含むＣ６７のＩＷＳ。
［Ｃ７１］前記メッセージが、Ａ１インターフェースで受け取られた１ｘ固有動作のためのメッセージである、Ｃ６７のＩＷＳ。
［Ｃ７２］装置にメッセージを送信し、前記メッセージがメッセージの第一の集合またはメッセージの第二の集合の一方に属していて、
前記メッセージがメッセージの第二の集合に属していて、しかも前記送信したメッセージに関して応答が受信されていない場合には第二のメッセージを送信し、
前記メッセージがメッセージの第一の集合に属していて、しかも前記送信したメッセージに関して応答が受信されていない場合には第二のメッセージを送信することを控える
ように構成されている処理システムを含む
移動交換局（ＭＳＣ）。
［Ｃ７３］前記メッセージがユーザ装置にトンネリングするためのものである、Ｃ７２のＭＳＣ。
［Ｃ７４］前記装置がインターワーキングソリューション（ＩＷＳ）である、Ｃ７２のＭＳＣ。
［Ｃ７５］前記メッセージが、Ａ１インターフェースによりサポートされている１ｘ固有動作のための任意のメッセージである、Ｃ７２のＭＳＣ。
［Ｃ７６］移動交換局（ＭＳＣ）から任意のメッセージを受信し、
回線交換フォールバック手順のためにユーザ装置にトンネリングするための前記メッセージを処理する
ように構成されている処理システム
を含むインターワーキングソリューション（ＩＷＳ）。
［Ｃ７７］前記メッセージが、Ａ１インターフェースでサポートされている１ｘ固有動作のための任意のメッセージである、Ｃ７６のＩＷＳ。
［Ｃ７８］回線交換フォールバック手順に関してインターワーキングソリューション（ＩＷＳ）にメッセージを送信することを決定し、
あるインターフェースで前記メッセージを送信する、但し前記インターフェースがＡ１インターフェースとは異なっている、
ように構成されている処理システム
を含む移動交換局（ＭＳＣ）。
［Ｃ７９］前記メッセージがユーザ装置にトンネリングするための１ｘ固有メッセージである、Ｃ７８のＭＳＣ。
［Ｃ８０］前記インターフェースが回線交換フォールバック手順のためのトンネリングしたメッセージだけをサポートしているＣ７８のＭＳＣ。
【外国語明細書】
2014064300000001.pdf